(57)【特許請求の範囲】
【請求項１】
判定条件の成立に起因して遊技の当否判定を行う当否判定手段と、
前記当否判定手段による当否判定結果が当たりとなったことを起因に遊技球が入賞し易い開放状態と入賞し難い閉鎖状態に変位可能な可変入賞装置と、
前記当否判定手段による当否判定結果が当たりとなったことを起因に特別遊技を実行する特別遊技実行手段と、
を備え、
前記特別遊技では、前記可変入賞装置が少なくとも１回開放状態となって前記可変入賞装置への入賞が可能となるラウンド状態と前記可変入賞装置が閉鎖状態となって前記可変入賞装置への入賞が不可能となるインターバル状態を複数回交互に行う遊技機において、
前記特別遊技実行手段によって実行される前記特別遊技の少なくとも１回の前記ラウンド状態では、前記特別遊技後の遊技状態を通常遊技状態よりも遊技者に有利となる特典遊技状態とするか否かを前記可変入賞装置内に設けられた特典付与領域への遊技球の通過状態によって決定する特典遊技実行決定手段が実行され、
前記特典付与領域には前記特典付与領域を開閉する開閉部材が設けられ、
前記特典遊技実行決定手段が実行される前記ラウンド状態では、前記特典付与領域への遊技球の通過が可能となるように前記開閉部材を開放状態とする開放時間と、前記開放時間経過後に前記特典付与領域への遊技球の通過が困難となるように前記開閉部材を閉鎖状態とする閉鎖時間とが少なくとも設定され、且つ前記閉鎖時間内には、前記特典遊技実行決定手段による決定を無効とする無効期間が設定され、
前記無効期間における前記特典付与領域の遊技球の通過を確認する遊技球確認手段を備え、
前記遊技球確認手段によって前記閉鎖時間内の前記無効期間での遊技球の通過が確認された場合はその通過が異常であることの報知を行わない異常制御手段を備え、
前記特別遊技は、少なくとも前記特典遊技実行決定手段が実行されるラウンド状態のときに前記可変入賞装置への遊技球の入賞が容易となる第一の特別遊技と、前記特別遊技実行決定手段が実行されるラウンド状態のときに前記第一の特別遊技よりも前記可変入賞装置の開放時間が短く遊技球の入賞を困難にする第二の特別遊技を有し、
前記第一の特別遊技と前記第二の特別遊技の何れの特別遊技でも前記異常制御手段を実行することを特徴とする遊技機。
【請求項２】
前記可変入賞装置は、前記特別遊技中の前記ラウンド状態終了後から前記インターバル状態中に予め定めた時間遊技球の入賞を有効とする入賞有効期間と前記有効期間経過後に遊技球の入賞を無効とする入賞無効期間が設定され、
前記入賞無効期間での遊技球の入賞に対してその入賞が異常であることの報知を行う入賞異常報知手段を備えたことを特徴とする請求項１に記載の遊技機。
【発明の詳細な説明】
【技術分野】
【０００１】
本発明は、異常報知を行う遊技機に関する。
【背景技術】
【０００２】
従来、大当たり遊技（特別遊技）の実行中における可変入賞装置への入賞を有効とする時間を予め設定しておき、入賞を有効とする時間以外で入賞を検知した場合には、賞球などの入賞に対しての対価を発生させないようにすると共に、入賞の検知が異常であることを報知することで、可変入賞装置を故意に開放状態として大量の賞球を得ようとする不正行為を防止することが可能な遊技機が提案されている。
【先行技術文献】
【特許文献】
【０００３】
【特許文献１】特開２００３−２９９７９５号公報
【発明の概要】
【発明が解決しようとする課題】
【０００４】
しかしながら、従来の遊技機では、可変入賞装置内の球ガミ（閉鎖時に球を挟んだ状態）や球詰まりなどによる球の検知遅れによって時間内に入賞が検知されなかった場合でも異常報知が行われるため、異常報知されることが多く、その結果遊技者に不快感を与えてしまい、遊技に支障をきたすおそれがあった。
【０００５】
本発明は、前記の点に鑑みなされたものであって、不正行為とは異なる球ガミや球詰まりなどを原因とする異常報知の頻度を抑制することが可能な遊技機の提供を目的とする。
【課題を解決するための手段】
【０００６】
請求項１の発明は、判定条件の成立に起因して遊技の当否判定を行う当否判定手段と、前記当否判定手段による当否判定結果が当たりとなったことを起因に遊技球が入賞し易い開放状態と入賞し難い閉鎖状態に変位可能な可変入賞装置と、前記当否判定手段による当否判定結果が当たりとなったことを起因に特別遊技を実行する特別遊技実行手段と、を備え、前記特別遊技では、前記可変入賞装置が少なくとも１回開放状態となって前記可変入賞装置への入賞が可能となるラウンド状態と前記可変入賞装置が閉鎖状態となって前記可変入賞装置への入賞が不可能となるインターバル状態を複数回交互に行う遊技機において、前記特別遊技実行手段によって実行される前記特別遊技の少なくとも１回の前記ラウンド状態では、前記特別遊技後の遊技状態を通常遊技状態よりも遊技者に有利となる特典遊技状態とするか否かを前記可変入賞装置内に設けられた特典付与領域への遊技球の通過状態によって決定する特典遊技実行決定手段が実行され、前記特典付与領域には前記特典付与領域を開閉する開閉部材が設けられ、前記特典遊技実行決定手段が実行される前記ラウンド状態では、前記特典付与領域への遊技球の通過が可能となるように前記開閉部材を開放状態とする開放時間と、前記開放時間経過後に前記特典付与領域への遊技球の通過が困難となるように前記開閉部材を閉鎖状態とする閉鎖時間とが少なくとも設定され、且つ前記閉鎖時間内には、前記特典遊技実行決定手段による決定を無効とする無効期間が設定され、前記無効期間における前記特典付与領域の遊技球の通過を確認する遊技球確認手段を備え、前記遊技球確認手段によって前記閉鎖時間内の前記無効期間での遊技球の通過が確認された場合はその通過が異常であることの報知を行わない異常制御手段を備え、前記特別遊技は、少なくとも前記特典遊技実行決定手段が実行されるラウンド状態のときに前記可変入賞装置への遊技球の入賞が容易となる第一の特別遊技と、前記特別遊技実行決定手段が実行されるラウンド状態のときに前記第一の特別遊技よりも前記可変入賞装置の開放時間が短く遊技球の入賞を困難にする第二の特別遊技を有し、前記第一の特別遊技と前記第二の特別遊技の何れの特別遊技でも前記異常制御手段を実行することを特徴とする。
【０００９】
請求項２の発明は、請求項１において、前記可変入賞装置は、前記特別遊技中の前記ラウンド状態終了後から前記インターバル状態中に予め定めた時間遊技球の入賞を有効とする入賞有効期間と前記入賞有効期間経過後に遊技球の入賞を無効とする入賞無効期間が設定され、前記入賞無効期間での遊技球の入賞に対してその入賞が異常であることの報知を行う入賞異常報知手段を備えたことを特徴とする。
【発明の効果】
【００１１】
請求項１の発明によれば、特典付与領域における遊技球の通過に関して遊技球確認手段によって閉鎖時間内の無効期間での遊技球の通過が確認された場合は異常制御手段によって遊技球の通過が異常であることの報知を行わないようにすることで、異常報知の頻度を抑制することが可能となる。
【００１４】
請求項２の発明によれば、可変入賞装置は、インターバル状態中に入賞有効期間と入賞無効期間を設定することで、ラウンド状態中に生じた球ガミや詰まりなどにより遊技球が遅れて入賞した場合でもその入賞を有効とすることができる一方、入賞有効期間経過後に入賞した遊技球は球ガミや詰まりによるものではなくインターバル状態中に故意に入賞させた不正行為の可能性が高いと判断することができるため、その入賞を無効とし、不正行為の可能性が高い入賞に対してのみ異常であることの報知を行うことが可能となる。
【図面の簡単な説明】
【００１６】
【図１】本発明の一実施例に係る遊技機の正面図である。
【図２】同遊技機の上・下大入賞口付近の構造を示す斜視図である。
【図３】同遊技機の裏側を示す図である。
【図４】同遊技機の制御基板や装置等の接続を示すブロック図である。
【図５】同遊技機における主制御基板が行うメイン処理のフローチャートである。
【図６】同メイン処理用割り込み処理のフローチャートである。
【図７】セキュリティ制御処理のフローチャートである。
【図８】下大入賞口異常判定処理のフローチャートである。
【図９】上大入賞口異常判定処理のフローチャートである。
【図１０】確変領域異常通過判定処理のフローチャートである。
【図１１】上大入賞口検出無し時異常判定処理のフローチャートである。
【図１２】下大入賞口検出時異常判定処理のフローチャートである。
【図１３】始動入賞口スイッチ検出処理のフローチャートである。
【図１４】ゲート通過処理のフローチャートである。
【図１５】普通動作処理のフローチャートである。
【図１６】特別動作処理のフローチャートである。
【図１７】上大入賞口内処理のフローチャートである。
【図１８】確変領域ソレノイド動作処理のフローチャートである。
【図１９】特別図柄待機処理のフローチャートである。
【図２０】特別図柄大当たり判定処理のフローチャートである。
【図２１】特別図柄選択処理のフローチャートである。
【図２２】特別図柄変動態様選択処理の第１フローチャートである。
【図２３】特別図柄変動様態選択処理の第２フローチャートである。
【図２４】特別図柄乱数シフト処理のフローチャートである。
【図２５】特別図柄変動開始設定処理のフローチャートである。
【図２６】特別図柄変動処理のフローチャートである。
【図２７】特別図柄確定処理のフローチャートである。
【図２８】大当たり開始処理のフローチャートである。
【図２９】ラウンド回数設定処理のフローチャートである。
【図３０】大入賞口動作設定処理のフローチャートである。
【図３１】大入賞口開放処理のフローチャートである。
【図３２】大入賞口スイッチ検出処理のフローチャートである。
【図３３】上大入賞口動作設定処理のフローチャートである。
【図３４】大入賞口閉鎖１処理のフローチャートである。
【図３５】大入賞口閉鎖２処理の第１フローチャートである。
【図３６】大入賞口閉鎖２処理の第２フローチャートである。
【図３７】大当たり終了処理のフローチャートである。
【図３８】保留球数処理のフローチャートである。
【図３９】電源断監視処理のフローチャートである。
【図４０】サブ制御メイン処理のフローチャートである。
【図４１】受信割り込み処理のフローチャートである。
【図４２】２ｍｓタイマ割り込み処理のフローチャートである。
【図４３】１０ｍｓタイマ割り込み処理のフローチャートである。
【図４４】受信コマンド解析処理のフローチャートである。
【図４５】エラー報知処理の第１フローチャートである。
【図４６】エラー報知処理の第２フローチャートである。
【図４７】各動作カウンタの動作内容を示す表である。
【図４８】大当たり遊技中の上大入賞口及び下大入賞口の動作（ロング）を示すタイムチャートである。
【図４９】大当たり遊技中の上大入賞口及び下大入賞口の動作（ショート）を示すタイムチャートである。
【発明を実施するための形態】
【００１７】
以下、添付の図面に基づき本発明の実施形態を説明する。図１に示す遊技機１は、遊技媒体として遊技球を用いるパチンコ遊技機であって、遊技盤２の縁に外レール３及び内レール４が略円形に配置され、前記外レール３及び内レール４によって区画された遊技領域６が前記遊技盤２上に設けられている。前記遊技領域６は遊技球が流下可能な領域であって、流下する遊技球を誘導する誘導釘Ｊが遊技盤２の表面に設けられている。また、遊技機１の前面側には、装飾ランプ３５、発射装置へ供給する遊技球と払い出された遊技球を受けるための上側球受け皿３６、該上側球受け皿３６の満杯時に遊技球を受けるための下側球受け皿３７、効果音等を発するスピーカ３８、遊技者の発射操作に応じて遊技球を前記遊技領域６へ向けて弾発発射するための発射装置６４が設けられている。図１における符号Ｗ１は遊技機の外枠、Ｗ２は外枠Ｗ１に取り付けられた前枠、Ｇ１は前枠Ｗ２に開閉可能にヒンジで取り付けられたガラス枠である。以下、遊技機１の主要な部分について説明する。
【００１８】
前記遊技盤２の遊技領域６には、中心線上の上部から下部に向かって順に表示装置１０、第１始動入賞口４１、アウト口４８が配置されている。また、前記第１始動入賞口４１の右側には第２始動入賞口４２が設けられている。前記表示装置１０の左側には風車７６が設けられ、前記風車７６の左上には左側第１入賞口５１、前記風車７６の下には左側第２入賞口５２が配置されている。一方、前記表示装置１０の右側には普通図柄変動開始用ゲート５５が配置され、前記普通図柄変動開始用ゲート５５の下方に上大入賞口７１と下大入賞口８１が配置されている。前記第１始動入賞口４１、第２始動入賞口４２、左側第１入賞口５１、左側第２入賞口５２、上大入賞口７１、下大入賞口８１は、前記遊技領域６を流下する遊技球が入賞（入球）可能な複数の入賞装置に相当する。前記の各入賞口（入賞装置）に遊技球が入賞（入球）して入賞（入球）が検出（検知）されると１入賞球の検出に対して所定個数の賞品球（遊技球）が遊技者に払い出される。前記１入賞球の検出に対する賞品球の払出個数は、前記入賞口毎に設定されている。
【００１９】
前記表示装置１０は図柄等の画像が表示可能なものであって、液晶、ドットマトリックス若しくはＬＥＤ表示装置等の画像表示装置からなる。本実施例では、液晶表示器（ＴＦＴ−ＬＣＤモジュール）で構成されている。前記表示装置１０は、当否判定手段による当否判定結果を表す識別情報を表示可能なものであり、複数の識別情報を変動態様にしたがって所定時間変動表示した後に停止表示可能となっている。複数の識別情報は当否判定結果を識別可能なものであり、本実施例では特別図柄（判定図柄）で構成されている。
【００２０】
前記表示装置１０では、左右に並ぶ左特別図柄（左判定図柄）と中特別図柄（中判定図柄）と右特別図柄（右判定図柄）がそれぞれ変動表示し、所定時間変動表示した後、当否判定結果に基づき左特別図柄、中特別図柄、右特別図柄が確定停止特別図柄（確定停止判定図柄）として停止表示される。また、前記表示装置１０には、背景画像や背景画像に被さるように背景画像の前でキャラクターや文字等が表示されることもあり、該背景画像が特別図柄の変動開始等の所定条件に起因して変動表示可能となっていてもよい。
【００２１】
この実施例において変動および停止表示される左特別図柄、中特別図柄、右特別図柄は、それぞれ『０，１，２，３，４，５，６，７，８，９，１０，１１』の１２通りの図柄とされている。本実施例では、遊技の当否判定結果が大当たり（当たり）の場合には、前記表示装置１０に大当たりの特別図柄組合せ、この例では『０，０，０』（いわゆる‘０’のぞろ目）や『１，１，１』（いわゆる‘１’のぞろ目）等、同一数字の組合せで特別図柄が停止表示される。大当たりの場合には、遊技者に有利な特別遊技（大当たり遊技）が実行され、なお、遊技の当否判定結果が外れ（大当たり以外）の場合には、特別図柄が、ぞろ目以外の組み合わせで表示装置１０に停止表示される。
【００２２】
また、本実施例では、前記表示装置１０内の左下部は普通図柄表示装置５０で構成されている。前記普通図柄表示装置５０は、液晶、ドットマトリックス若しくはＬＥＤ表示装置等の表示装置からなる。本実施例の普通図柄表示装置５０はＬＥＤ表示装置からなる。本実施例における普通図柄表示装置５０に変動及び停止表示される普通図柄は『○』、『×』の２種類からなる。普通図柄当たりの場合には、前記普通図柄表示装置５０に『○』の普通図柄が停止表示され、外れの場合には『×』が表示される。
【００２３】
前記第１始動入賞口４１は、上方が開口した形状からなって遊技球が上方から入球（入賞）可能となっている。一方、前記第２始動入賞口４２は開閉部材４３を備え、前記開閉部材４３が背面の始動入賞口用ソレノイドにより、第２始動入賞口４２を塞いで入球（入賞）を困難にする閉鎖状態と、前記第２始動入賞口４２を開口して入球（入賞）を可能にする開放状態とに変位可能に構成されている。前記第２始動入賞口４２の開放は、前記普通図柄表示装置５０で普通図柄が変動表示した後に、当たり普通図柄、本実施例では『○』の普通図柄で停止表示して普通図柄当たりが成立した時に行われる。
【００２４】
前記遊技盤２の裏側には、前記第１始動入賞口４１に入賞（入球）した遊技球を検出（検知）する第１始動入賞口検出スイッチ（第１始動入賞口センサ）と、前記第２始動入賞口４２に入賞（入球）した遊技球を検出（検知）する第２始動入賞口検出スイッチ（第２始動入賞口センサ）が設けられている。本実施例では、前記第１始動入賞口検出スイッチあるいは第２始動入賞口検出スイッチによる入賞球の検出が、乱数値の取得の起因および前記特別図柄の変動表示開始の起因とされ、さらには当否判定手段による当否判定の起因となる判定条件の成立に設定されている。
【００２５】
また、本実施例では、前記第１始動入賞口４１あるいは第２始動入賞口４２に入賞して前記第１始動入賞口検出スイッチあるいは前記第２始動入賞口検出スイッチで検出された遊技球検出数（始動入賞口入賞球数）を、予め設定された設定数まで特別図柄保留球数として記憶し、前記表示装置１０における特別図柄の変動表示を一旦保留して順次特別図柄の変動表示が開始されるようにし、特別図柄の変動表示開始により、あるいは当否判定結果の判定結果を表示する特別図柄が前記表示装置１０で停止表示されることにより、記憶されている特別図柄保留球数の数を減らすように構成されている。前記第１始動入賞口４１及び第２始動入賞口４２への入賞に対する記憶（特別図柄保留球数）は、前記表示装置１０で現在変動中の記憶を含まず、最高４個に設定されている。
【００２６】
なお、前記始動入賞口検出スイッチ（第１始動入賞口検出スイッチ、第２始動入賞口検出スイッチ）による遊技球検出数が最大個数（本実施例では４個）まで記憶されている時には、前記始動入賞口検出スイッチがそれ以上入賞遊技球を検出しても、特別図柄保留球数としては記憶されない無効球（オーバーフロー入賞球）とされ、その無効球については当否判定及び特別図柄の変動を行うことなく、入賞に対する賞球遊技球が所定数払い出される。
【００２７】
前記普通図柄変動開始用ゲート５５は、前記遊技盤２の背面に設けられた普通図柄変動開始スイッチで普通図柄変動開始用ゲート５５を通過する遊技球を検出（検知）することによって前記普通図柄表示装置５０で普通図柄の変動を開始させるようになっている。また、前記普通図柄変動開始用ゲート５５を遊技球が通過することによって発生する普通図柄の変動を、前記普通図柄表示装置５０における現在変動中の記憶を含めず最高４個普通図柄保留球数として記憶し、普通図柄の変動開始により普通図柄保留球数を減らすようになっている。
【００２８】
また、前記遊技盤２の背面には、前記左側第１入賞口５１の入賞球を検出（検知）する左側第１入賞口用検出スイッチ、前記左側第２入賞口５２の入賞球を検出（検知）する左側第２入賞口用検出スイッチが設けられている。
【００２９】
前記上大入賞口７１と下大入賞口８１は本発明における可変入賞装置に相当する。前記上大入賞口７１と下大入賞口８１について、図２を用いて説明する。図２は前記上大入賞口７１及び下大入賞口８１付近について前面飾りを外した状態の斜視図である。
前記上大入賞口７１は、前記遊技盤２の背面に設けられた上大入賞口用ソレノイドによって上大入賞口７１の入り口を開閉する上大入賞口用開閉板７２を開閉部材として備えている。前記上大入賞口７１は、通常は上大入賞口用開閉板７２が垂直となって前記上大入賞口７１が閉じた閉鎖状態とされ、一方、大当たりの場合に行われる大当たり遊技（特別遊技）における特定のラウンド状態時には、前記上大入賞口用開閉板７２が遊技機前方側へ倒れて前記上大入賞口７１が少なくとも１回開放状態とされる。前記上大入賞口７１の閉鎖状態では前記上大入賞口７１が閉鎖されているため遊技球を入賞し難くし、一方、開放状態では上方から流下する遊技球を前記上大入賞口用開閉板７２で受け止めて開放中の上大入賞口７１へ入賞（入球）し易くする。前記上大入賞口７１内の上部には、前記上大入賞口７１に入賞した入賞球を検出（検知）する上大入賞口スイッチ（カウントセンサ）７３が設けられている。
【００３０】
前記上大入賞口７１内の入賞球流路（入賞球経路）には、前記上大入賞口スイッチ（カウントセンサ）７３の下方に確変領域７６が設けられている。前記確変領域７６は本発明における特典付与領域に相当する。前記確変領域７６の入り口には、開閉部材として確変領域開閉板７５が設けられている。前記確変領域開閉板７５は、前記遊技盤２の背面に設けられた確変領域ソレノイドによって遊技盤２内へ後退した（格納された）開放状態と、遊技盤２から前方へ突出した閉鎖状態とに変位することによって前記確変領域（特典付与領域）７６を開閉するように構成されている。前記閉鎖状態では、前記確変領域開閉板７５が遊技盤２から前方へ突出して前記確変領域７６の入り口を上方から塞ぎ、前記上大入賞口７１内を流下してきた遊技球が前記確変領域７６を通過するのを困難とする。一方、開放状態では、前記確変領域開閉板７５が遊技盤２内へ後退して（格納されて）前記確変領域７６の入り口が開放され、前記上大入賞口７１内を流下してきた遊技球が前記確変領域７６を通過するのを可能にする。前記確変領域７６内には、前記確変領域７６を通過した遊技球を検出（検知）する確変領域スイッチ（特典付与領域通過検出スイッチ（カウントセンサ））７７が設けられている。
【００３１】
さらに前記上大入賞口７１内の入賞球流路（入賞球経路）には、前記確変領域開閉板７５による閉鎖によって前記確変領域（特典付与領域）７６を通過できなかった遊技球を前記上大入賞口７１内から排出する上大入賞口用排出口７８が設けられている。また、前記上大入賞口用排出口７８には、上大入賞口用排出口７８を通過した遊技球（排出球）を検出（検知）する排出口スイッチ（カウントセンサ）７９が設けられている。
【００３２】
前記下大入賞口８１は、開閉部材として下大入賞口用開閉板８２を備える。前記下大入賞口用開閉板８２は、前記遊技盤２の背面に設けられた下大入賞口用ソレノイドにより遊技盤２内へ後退（格納）して、当該下大入賞口８１における上向きの入り口を開放する開放状態と、遊技盤２から前方へ突出して当該下大入賞口８１における上向きの入り口を上方から塞ぐ閉鎖状態とに変位する。前記下大入賞口８１の閉鎖状態では、前記遊技領域６を流下してきた遊技球を前記下大入賞口８１へ入賞（入球）し難くし、一方、開放状態では、前記遊技領域６を流下してきた遊技球を前記下大入賞口８１へ入賞（入球）し易くする。前記下大入賞口８１は、通常では閉鎖状態とされ、大当たり遊技（特別遊技）における前記上大入賞口７１のラウンド状態時とは異なるラウンド状態時に開放状態とされる。前記下大入賞口８１内には、前記下大入賞口８１に入賞した入賞球を検出する下大入賞口スイッチ（カウントセンサ）８３が設けられている。
【００３３】
前記第１始動入賞口検出スイッチ、第２始動入賞口検出スイッチ、左側第１入賞口用検出スイッチ、左側第２入賞口用検出スイッチ、上大入賞口スイッチ７３、下大入賞口スイッチ８３は、入賞装置に入賞した遊技球を検出（検知）する入賞検出（検知）手段に相当する。
【００３４】
前記発射装置６４は、操作レバー６５の操作により駆動する発射モータを裏側に有し、該発射モータの駆動により遊技球を弾発発射するようになっている。前記発射装置６４により発射された発射球は、前記遊技盤２の表面に立設された内側誘導レール４と外側誘導レール３間で構成される発射球誘導路を介して遊技領域６に誘導される。前記遊技領域６に誘導された遊技球は、転動しつつ下方へ流下し、前記各装置及び各入賞口に入賞するか、或いは何処にも入賞しなければ前記アウト口４８から遊技盤２の裏側へ排出される。また、前記遊技領域６に到達しなかった遊技球は、前記発射球誘導路を戻って前記遊技盤２の背面に至り、前記遊技盤２の背面を通って前記上側球受け皿３６へ戻るように誘導される。
【００３５】
前記遊技機１の裏側には、図３に示すように、遊技を制御するための複数の制御基板や装置等が設けられている。制御基板の主なものとして、主制御基板２００、サブ制御基板２０５、表示制御基板２１０、音声制御基板２２０、払出制御基板２４０、電源基板２５０、発射制御基板２６０等がある。符号２０６はＲＡＭクリアスイッチ、２６５は外部端子、２８１は払出装置（賞球と貸球の払出装置）、２８３は球無しスイッチ（賞球・球貸し兼用）、２８５はカードインターフェース接続部、２８９は球貯留タンク、２９１は球誘導樋である。なお各制御基板には制御回路が設けられている。前記ＲＡＭクリアスイッチ２０６は、主制御基板２００のＲＡＭについてのみ初期化を行わせることができる。また、各制御基板は、単独でまたは複数まとめてケースに収納された状態で遊技機１の裏側に配置されている。主な制御基板を、図４のブロック図を用いて簡略に示す。
【００３６】
主制御基板２００は、遊技の進行の制御をする制御手段である。前記主制御基板２００には、ＣＰＵ、ＲＡＭ、ＲＯＭおよび複数のカウンタを備えたマイクロコンピュータを少なくとも備え、サブ制御基板２０５及び払出制御基板２４０と接続され、また中継端子板を介して第１始動入賞口４１、第２始動入賞口４２及び上大入賞口７１、下大入賞口８１、確変領域７６等と接続されている。前記主制御基板２００は電源基板２５０から電源供給を受けて作動する。
【００３７】
前記主制御基板２００におけるＣＰＵは、制御部、演算部、各種カウンタ、各種レジスタ，各種フラグ等を備え、演算制御を行う他、乱数値を生成し、また指令信号（制御信号あるいはコマンドとも称される）を接続されているサブ制御基板２０５や装置等へ出力（送信）可能に構成されている。前記主制御基板２００のＣＰＵは制御プログラムを実行して遊技に関わる主制御を行う。
【００３８】
前記主制御基板から出力される指令信号（コマンド）には、第１始動入賞口４１及び第２始動入賞口４２への入賞時に出力される入賞コマンド、特別図柄の変動コマンド（変動態様コマンド、変動開始コマンド、変動停止コマンド）、大当たりコマンド、外れコマンド、大当たりオープニングコマンド、大当たりラウンド時等のデータ、前記表示装置１０に表示させる待ち受け画面等の表示態様を含めたコマンド、普通図柄当たりに関するデータ、電源投入時、異常時のコマンドを挙げることができる。また、主制御基板２００が前記表示装置１０の制御に関して出力する指令信号に基づいて、サブ制御基板２０５が前記表示装置１０に表示する内容等を設定した後、表示制御基板２１０に出力することで前記表示装置１０の表示を制御する。
【００３９】
前記ＲＡＭは、前記第１始動入賞口検出スイッチ及び第２始動入賞口検出スイッチで検出された遊技球の特別図柄保留球数の記憶領域、普通図柄変動開始スイッチで検出された遊技球の普通図柄保留球数の記憶領域、ＣＰＵで生成される各種乱数値用の記憶領域、遊技に必要な遊技データ等の各種データを一時的に記憶する記憶領域や、遊技情報を記憶する記憶領域やフラグ、ＣＰＵの作業領域を備える。
【００４０】
前記ＲＯＭは、前記ＣＰＵのための制御プログラムや制御データ、前記表示装置１０での変動表示に関する変動態様や図柄データ、演出時間等のデータが書き込まれている他、大当たり、普通図柄当たりの判定値等が書き込まれている。
【００４１】
サブ制御基板２０５は、前記主制御基板２００と接続されて主制御基板２００から指令信号（コマンド）を受信可能に構成されると共に、前記表示制御基板２１０と接続されて表示装置１０を制御可能に構成されている。前記サブ制御基板２０５にはＣＰＵ、ＲＯＭ、ＲＡＭ、複数のカウンタを備えたマイクロコンピュータと、前記主制御基板２００とを結ぶ入出力回路と、表示制御基板２１０やランプ中継基板とを結ぶ入出力回路を備えている。前記サブ制御基板２０５は、前記主制御基板２００と共に遊技の制御を行う制御手段に相当し、前記主制御基板２００から出力された指令信号に従って遊技の制御を行う。本実施例ではサブ制御基板２０５はランプ制御基板を兼ねている。前記サブ制御基板２０５は、前記主制御基板２００から出力された指令信号を受信し、受信した指令信号に基づいて、ランプ中継基板や表示制御基板２１０へ信号を出力している。また、前記サブ制御基板２０５のＲＯＭは制御用のプログラムやデータ定数、前記表示装置１０で実行される演出等の情報が記憶され、また前記ＲＡＭは各種データの記憶領域とＣＰＵによる作業領域を有している。前記ランプ中継基板には装飾ランプ等のランプ装置３５が接続され、前記サブ制御基板２０５からランプ中継基板に送信された指令信号によって、ランプ装置３５の作動を制御する。前記サブ制御基板２０５は電源基板２５０から電源供給を受けて作動する。
【００４２】
表示制御基板２１０は、ＣＰＵ、ＲＯＭ、ＲＡＭを備えたマイクロコンピュータ、前記サブ制御基板（ランプ制御基板）２０５と結ぶ入出力回路、音声制御基板２２０と表示装置１０及び普通図柄表示装置５０と接続される入出力回路等で構成され、前記サブ制御基板２０５から出力される制御信号に基づいて、前記表示装置１０や普通図柄表示装置５０及び前記音声制御基板２２０を制御する。前記表示制御基板２１０のＣＰＵは、内部に制御部、演算部、各種レジスタ、各種フラグ等を有し、演算制御を行うようになっている。また、前記表示制御基板２１０のＲＡＭは、各種データの記憶領域とＣＰＵによる作業領域等を有している。前記表示制御基板２１０のＲＯＭは、表示制御のための不変の情報、すなわち各種のプログラムや画像データ、定数等が記憶されている。
【００４３】
音声制御基板２２０は、前記表示制御基板２１０と電気的接続手段で接続され、前記表示制御基板２１０から出力される信号により音声信号を合成し、アンプに出力する。アンプは音声信号を増幅してスピーカ３８に出力する。
【００４４】
払出制御基板２４０は、遊技球の払出を制御する払出制御手段に相当し、ＣＰＵ、ＲＯＭ、ＲＡＭを備えたマイクロコンピュータを有する。前記払出制御基板２４０は前記主制御基板２００と電気的接続手段で接続され、前記主制御基板２００から出力される指令信号を受信して払出装置２８１を制御する。前記払出制御基板２４０は電源基板２５０から供給される電源によって作動する。前記払出制御基板２４０のＲＯＭには制御用のプログラムが記憶されている。前記払出制御基板２４０のＲＡＭは、種々の入賞口（入賞装置）への入賞検出に基づき前記払出装置２８１により払い出される賞品球（遊技球）の払出個数を、１入賞球の検出に対する払出個数毎に記憶可能となっている。
【００４５】
前記払出装置２８１は、払出モータの駆動によって回転する払出スクリューを備え、前記球誘導樋２９１から誘導されてきて払出装置２８１に至った遊技球を払出スクリューの羽根部分に乗せて払出スクリューが回転することにより徐々に下方へ移動させて遊技球の払い出しを行うように構成されている。前記球誘導樋２９１と払出装置２８１の間における遊技球の流路に遊技球の存否を検出する前記球無しスイッチ２８３が設けられている。前記払出装置２８１の球出口には、前記払出装置２８１から払い出された遊技球を検出する払出センサが設けられている。
【００４６】
電源基板２５０は、外部から供給される電源ＡＣ２４Ｖを遊技機の各部に必要な直流３４Ｖ、直流１２Ｖ、直流５Ｖ等の各電源に変換して各制御基板等へ供給する。
発射制御基板２６０は、前記発射装置６４における発射モータの制御を行う。
【００４７】
前記主制御基板２００に設けられる乱数用カウンタとして、大当たり乱数用カウンタ、大当たり図柄乱数用カウンタ、リーチ乱数用カウンタ、特別図柄データ乱数用カウンタ、変動態様乱数用カウンタ、普通図柄乱数用カウンタ等がある。
【００４８】
大当たり乱数用カウンタは、当否判定手段による大当たりの判定、及び第１特別遊技と第２特別遊技の選択に用いられ、‘０’〜‘６２９’の乱数からなる。前記大当たり乱数用カウンタの乱数（大当たり乱数）は、遊技機の電源投入時に‘０’から始まって後述の普通図柄・特別図柄主要乱数更新処理ごとに１加算され、‘６２９’に至ると次には‘０’にされて再び前記加算を繰り返すようになっている。大当たり乱数は前記第１始動入賞口４１あるいは第２始動入賞口４２への入賞に起因して取得され、その取得乱数値が低確率（１／３１５の確率）状態時（通常遊技状態中）には大当たり成立数値として設定されている‘２’、‘３９７’の何れかと一致すれば大当たりとなり、一方高確率（６／３１５の確率）状態時（確変中、特典遊技状態中）には、大当たり成立数値として設定されている‘２’、‘３９７’、‘３３’、‘５３’、‘５９’、‘１１３’、‘１７３’、‘２２７’、‘２８１’、‘３３７’、‘４４９’、‘５０３’の何れかと一致すれば大当たりとなる。
【００４９】
大当たりになると、大当たり遊技（特別遊技）が実行される。大当たり遊技（特別遊技）では、前記上大入賞口７１又は下大入賞口８１の一方が少なくとも１回開放状態となって前記上大入賞口７１又は下大入賞口８１への入賞が可能となるラウンド状態と、前記上大入賞口７１及び下大入賞口８１が閉鎖状態となって前記上大入賞口７１及び下大入賞口８１への入賞が不可能となるインターバル状態を複数回交互に行う。前記ラウンド状態の繰り返し回数（ラウンド回数）は、本実施例では１６回に設定されている。
【００５０】
また、前記上大入賞口７１内の前記確変領域７６を遊技球が通過して特典遊技状態が決定されると、大当たり遊技（特別遊技）終了後の遊技状態が通常遊技状態よりも遊技者に有利な特典遊技状態になり、次に大当たりの当否判定手段によって大当りと判定されるまで特典遊技状態が続く。本実施例では、通常遊技状態は前記低確率状態、特典遊技状態は前記高確率状態（確変状態）に設定されている。一方、前記確変領域７６を遊技球が通過せず、通常遊技状態に決定されると、大当たり遊技（特別遊技）終了後、次に確変（特典遊技状態）が決定されるまで、通常遊技状態（低確率状態）が続く。
【００５１】
さらに、本実施例では、確変状態（特典遊技状態）になると、前記高確率（確変）状態（６／３１５の確率）と共に前記第２始動入賞口４２の開放時間が、低確率（通常遊技）状態の１秒から２秒に長くなり、かつ前記第２始動入賞口４２の開放回数が低確率（通常遊技）状態の１回から３回に増え、さらに、普通図柄当たりの確率が低確率（通常遊技）状態の１／３００から１／５に増加する。
【００５２】
大当たり図柄乱数用カウンタは、大当たりの当否判定結果が大当たりの場合に前記表示装置１０に確定停止する大当たり図柄組合せを決定するものであり、‘０’〜‘１１’の乱数からなる。この大当たり図柄乱数は、電源投入時に‘０’から始まって後述の普通図柄・特別図柄主要乱数更新処理ごとに１加算され、‘１１’に至ると次には‘０’に戻って再び前記加算を繰り返すようになっている。大当たり図柄乱数は前記第１始動入賞口４１又は第２始動入賞口４２への入賞に起因して取得される。前記大当たり図柄乱数には、当否判定結果が大当たりの場合に、前記表示装置１０で停止表示される大当たり図柄組合せが割り当てられている。本実施例では、大当たり図柄乱数が‘０’の場合には大当たり図柄組合せが‘０，０，０’となる０のぞろ目（全図柄同一）、‘１’の場合には大当たり図柄組合せが『１，１，１』となる１のぞろ目（全図柄同一）、‘２’の場合には『２，２，２』となる２のぞろ目、‘３’の場合には『３，３，３』となる３のぞろ目、‘４’の場合には『４，４，４』となる４のぞろ目、‘５’の場合には『５，５，５』となる５のぞろ目、‘６’の場合には『６，６，６』となる６のぞろ目、‘７’の場合には『７，７，７』となる７のぞろ目、‘８’の場合には『８，８，８』となる８のぞろ目、‘９’の場合には『９，９，９』となる９のぞろ目、‘１０’の場合には『１０，１０，１０』となる１０のぞろ目、‘１１’の場合には『１１，１１，１１』からなる大当たり図柄組合せが割り当てられている。
【００５３】
さらに本実施例では、大当たりの場合に前記表示装置１０に停止表示される特別図柄の停止図柄の組合せが、『１，１，１』等の奇数のぞろ目の場合には大当たり遊技中における大入賞口の動作がロングになり、一方、特別図柄の停止図柄の組合せが、『２，２，２』等の偶数のぞろ目の場合には、大当たり遊技中における大入賞口の動作がショートになる。
【００５４】
ロングの場合の大当たり遊技では、図４８に示すように、１〜１６ラウンド中の１４ラウンドと１６ラウンドのみ前記上大入賞口７１が作動（開放）して前記下大入賞口８１は閉鎖状態となり、他の１〜１３ラウンド及び１５ラウンドでは前記下大入賞口８１のみが作動（開放）して前記上大入賞口７１は閉鎖状態とされる。次に各ラウンドの動作について詳述する。
【００５５】
１〜１３ラウンドにおける前記下大入賞口８１の動作は、前記下大入賞口８１への入賞が可能となるラウンド状態と、前記下大入賞口８１への入賞が不可能となるインターバル状態が交互に繰り返される。前記１〜１３ラウンドのラウンド状態では、前記下大入賞口８１がラウンド時間の２９．５秒間開放状態とされ、一方、インターバル状態では、前記下大入賞口８１がインターバル時間の２秒間閉鎖状態とされる。１３ラウンド目のラウンド状態が終了した後、インターバル時間２秒経過した後に１４ラウンド目となる。
【００５６】
１４ラウンド目は、前記上大入賞口７１がラウンド状態とされる。前記上大入賞口７１のラウンド状態は、前記上大入賞口７１の開閉が最大２３回繰り返される。その際、前記上大入賞口７１は、１秒間の開放状態と０．１秒間の閉鎖状態を交互にそれぞれ２２回繰り返し、２３回目（最後の１回）については開放状態の時間が１．６秒とされ、その後閉鎖状態にされる。なお、本実施例では、前記上大入賞口７１における最初の閉鎖に対する閉鎖時間、すなわち上大入賞口７１の最初の開放（図４８における２３の開放）と次の開放（図４８における２２の開放）との間の閉鎖時間０．１秒が上大入賞口７１の第一閉鎖時間である。また、前記上大入賞口７１の２回目の閉鎖に対する閉鎖時間、すなわち２回目の開放（図４８における２２の開放）と３回目の開放（図４８の２１の開放）との間の閉鎖時間が上大入賞口７１の第二閉鎖時間である。さらに前記上大入賞口７１の第一閉鎖時間と第二閉鎖時間の間の開放状態（図４８の２２の開放）に対する開放時間が上大入賞口７１の第一開放時間に相当する。
【００５７】
また、前記１４ラウンド目における前記上大入賞口７１の動作中に、前記確変領域開閉板７５の開閉が３回繰り返され、前記確変領域開閉板７５の開放時に遊技球が前記確変領域７６を通過可能になる。本実施例では、前記上大入賞口７１が最初に開放状態（図４８の２３の開放）になった時点から０．１秒間遅れて前記確変領域開閉板７５の開閉が開始される。前記上大入賞口７１の最初の開放時点から０．１秒間の閉鎖時間が、確変領域の第一閉鎖時間及び開放遅延時間に相当する。前記確変領域の第一閉鎖時間及び開放遅延時間の経過後、前記確変領域開閉板７５の開閉が３回繰り返される。前記確変領域開閉板７５の開閉時間は、前記第一閉鎖時間（開放遅延時間）後の１回目の開放となる第一開放時間が０．０８秒、次に閉鎖となる第二閉鎖時間が２．８６秒、２回目の開放となる第２開放時間が２５．９６秒、次に閉鎖となる第三閉鎖時間が１．５秒、３回目の開放となる第三開放時間が０．２秒に設定されている。第三開放時間は、第二開放時間終了後に確変領域７６をもう一度開放して第一開放時間から第二開放時間の間に起きた球詰まり等を解消させるための時間となっている。本実施例では、上大入賞口７１のラウンド時間及びインターバル時間が経過した後に行われるため、後述する上大入賞口７１の入球数と確変領域７６及び上大入賞口用排出口７８の通過球数が一致していない状態の場合に実行されるように構成されている。
【００５８】
さらに前記確変領域開閉板７５の閉鎖状態の時間（閉鎖時間）には、前記確変領域７６を通過した遊技球を前記確変領域スイッチ７７が検出（検知）して特典遊技実行決定手段で確変有（特典遊技状態）と決定することを有効とする有効期間（特典遊技実行決定手段による決定を有効とする有効期間）と、無効とする無効期間（特典遊技実行決定手段による決定を無効とする無効期間）が設定されている。図４８における第一閉鎖時間（開放遅延時間）の０．１秒は無効期間であり、また第二閉鎖時間における始めの１秒（「閉鎖１秒」）は有効期間である。さらに次の１．８６秒（「閉鎖１．８６秒」）は無効期間である。また、第三閉鎖時間では始めの１秒（「閉鎖１秒」）が有効期間、次の０．５秒（「閉鎖０．５秒」）が無効期間である。
【００５９】
さらに本実施例では、前記第一閉鎖時間（開放遅延時間）内に前記確変領域７６を通過する遊技球が前記確変領域スイッチ７７で検出（確認）された場合にその通過が異常であることを報知する一方、前記第二閉鎖時間内の無効期間内に前記確変領域７６を通過する遊技球が前記確変領域スイッチ７７で検出（確認）された場合にその通過が異常であることを報知しないように異常制御手段で制御される。図４８における確変領域の開閉動作を示すタイムチャートでは、閉鎖時間の下に有効期間と無効期間、及び異常報知の有無を表示している。例えば「（無効／有）」は、前記無効期間であって且つ異常報知有りを示し、また「（有効／無）」は、前記有効期間であって且つ異常報知無しを示し、また「（無効／無）」は前記無効期間であって且つ異常報知無しを示す。１４ラウンドのラウンド状態終了後、インターバル状態となり、前記上大入賞口７１がインターバル時間の２秒間閉鎖状態になり、その後１５ラウンド目となる。
【００６０】
１５ラウンド目では、前記下大入賞口８１がラウンド状態となり、ラウンド時間の２９．５秒間開放状態とされる。１５ラウンドのラウンド状態終了後、インターバル状態となり、前記下大入賞口８１がインターバル時間の２秒間閉鎖状態になる。インターバル時間経過後、１６ラウンド目となる。
【００６１】
１６ラウンド目では、前記上大入賞口７１の開閉が前記１４ラウンド目と同様に２３回繰り返され、且つ前記確変領域７６の開閉が前記１４ラウンド目と同様に行われる。前記上大入賞口７１の開閉及び前記確変領域開閉板７５の開閉、有効期間及び無効期間、異常報知の有無等は、前記１４ラウンド目と同様であり、再度の説明を省略する。
【００６２】
また、前記１〜１６ラウンドにおける上大入賞口７１及び下大入賞口８１の前記ラウンド状態終了から前記インターバル状態中には、入賞を有効とする入賞有効期間が設定されている（入賞有効期間外は遊技球の入賞を検知した場合に入賞を無効とする入賞無効期間となっている）。
【００６３】
ショートの場合の大当たり遊技では、図４９に示すように、前記ロングの場合と同様、１〜１６ラウンド中の１４ラウンドと１６ラウンドのみ前記上大入賞口７１が作動（開放）して前記下大入賞口８１は閉鎖状態で維持され、他の１〜１３ラウンド及び１５ラウンドでは前記下大入賞口８１のみが作動（開放）して前記上大入賞口７１は閉鎖状態で維持される。
１〜１３ラウンドと１５ラウンドにおける前記下大入賞口８１の動作は、前記ロングの場合と同様に、２９．５秒間（ラウンド時間）開放状態とされるラウンド状態と、２秒間（インターバル時間）閉鎖状態とされるインターバル状態が交互に繰り返される。
【００６４】
一方、前記ショートの場合の１４ラウンドと１６ラウンドにおける上大入賞口７１の開閉動作は、前記ロングの場合と異なり、１回のみ開閉が行われる。すなわち、１秒間（ラウンド時間）開放状態とされるラウンド状態の後、２秒間（インターバル時間）閉鎖状態とされるインターバル状態とされる。また、前記確変領域開閉板７５は、前記上大入賞口７１が開放状態になった時点から０．１秒遅れた後に０．０８秒間開放され、その後２．８６秒間閉鎖される。前記上大入賞口７１の開放後の閉鎖時間０．１秒は確変領域の第一閉鎖時間（開放遅延時間）であり、次の開放時間０．０８秒は第一開放時間である。また、前記第一開放時間後の閉鎖時間２．８６秒は第二閉鎖時間である。さらに前記第一閉鎖時間（開放遅延時間）は、前記無効期間及び異常報知有りに設定され、前記第二閉鎖時間における始めの１秒間（「閉鎖１秒」）は有効期間及び異常報知無しに設定され、次の１．８６秒間（「閉鎖１．８６秒」）は無効期間及び異常報知無しに設定されている。
【００６５】
なお、本実施例では、前記ロング及びショートの場合の何れにおいても、前記１４ラウンドと１６ラウンドは特典遊技実行実行決定手段が実行されるラウンド状態に相当する。
また、前記ショートの場合においても、１〜１６ラウンドにおける前記上大入賞口７１及び下大入賞口８１の前記ラウンド状態終了から前記インターバル状態中には、入賞を有効とする入賞有効期間が設定されている。
【００６６】
なお、前記ロング及びショートの場合の何れにおいても、前記上大入賞口７１及び下大入賞口８１は、開口後所定時間（前記ラウンド時間）経過することによる第１終了条件の成立によって、あるいは第１終了条件の成立前に所定数（本実施例では１０球）入賞することによる第２終了条件の成立によって閉鎖され、インターバル状態になる。また、第一閉鎖時間の開始から第一開放時間の終了までの時間を、上大入賞口７１に入賞した遊技球が確変領域７６を通過するまでの時間よりも短い時間で構成し、且つ第一開放時間を第二開放時間よりも短い時間に設定することで、上大入賞口７１に入賞したほとんどの遊技球は第一開放時間経過後に確変領域に辿り着くことになるため、第二閉鎖時間中にラウンド状態が終了される前記ショートのラウンド状態では遊技球がほとんど確変領域を通過しないように構成されている。
【００６７】
リーチ乱数用カウンタは、前記大当たり乱数による当否判定結果が外れとなる場合において、リーチ状態を経るか否かを決めるリーチ有無決定用のものであり、‘０’〜‘１２６’の乱数からなる。本実施例におけるリーチ状態は、前記表示装置１０で変動停止表示される左特別図柄、中特別図柄及び右特別図柄のうち、最後に停止表示される特別図柄（例えば中特別図柄）を除いて他の特別図柄（例えば左特別図柄と右特別図柄）が同一となる状態（最終停止図柄を除いて大当たりの特別図柄組合せと等しくなる状態であり、最終的に大当たりの特別図柄組合せとなる場合と外れの特別図柄組合せとなる場合が含まれる状態）をいう。このリーチ乱数用カウンタの乱数（リーチ乱数）は、遊技機１の電源投入時に、‘１２６’から始まり、後述の普通図柄・特別図柄主要乱数更新処理ごとに１ずつ減算され、数値が‘０’に至ると、次に‘１２６’にされて再び前記減算を繰り返すようになっている。リーチ乱数は、前記第１始動入賞口４１あるいは第２始動入賞口４２への入賞に起因して取得され、当否判定結果が外れの場合に、取得リーチ乱数値が予め決定されているリーチ成立数値と対比されてリーチ有無が判断される。本実施例ではリーチ成立数値は、‘５’〜‘１５’に設定されている。
【００６８】
特別図柄データ乱数用カウンタは、前記大当たり乱数による当否判定結果が外れとなる場合において、前記表示装置１０に停止表示する外れの特別図柄組合せの決定に用いられるものであり、前記表示装置１０に停止表示する左特別図柄を決定する特別図柄データ１の乱数用カウンタと、中特別図柄を決定する特別図柄データ２の乱数用カウンタと、右特別図柄を決定する特別図柄データ３の乱数用カウンタとより構成され、各特別図柄データ乱数用カウンタは、‘０’〜‘１１’の乱数からなる。
【００６９】
前記特別図柄データ１の乱数は、電源投入時に、‘０’から始まって後述の普通図柄・特別図柄主要乱数更新処理ごとに
‘１’ずつ加算され、‘１１’に至ると、次に‘０’に書き換えられて再び前記加算が繰り返される。また、前記特別図柄データ２の乱数は、電源投入時に‘０’から始まって、前記特別図柄データ１の乱数が‘０’に書き換えられる際に‘１’ずつ加算され、‘１１’に至ると、次に‘０’に書き換えられて再び前記加算が繰り返される。さらに、前記特別図柄データ３の乱数は、電源投入時あるいはリセット処理後に‘０’から始まって、前記特別図柄データ２の乱数が‘０’に書き換えられる際に‘１’ずつ加算され、‘１１’に至ると、次に‘０’に書き換えられて再び前記加算が繰り返される。これによって、特別図柄データ１〜３の乱数範囲が同一であっても、当該特別図柄データ１〜３の乱数が同期（同一の組合せで加算）するのを避けることができる。
【００７０】
前記特別図柄データ１〜３の各乱数は‘０’の場合には『０』、‘１’の場合には『１』、‘２’の場合には『２』というように、当否判定結果の外れ時に前記表示装置１０に停止表示される左特別図柄、中特別図柄、右特別図柄からなる識別情報が割り当てられている。前記特別図柄データ１〜３の乱数は、前記第１始動入賞口４１又は第２始動入賞口４２への入賞に起因して取得され、取得した特別図柄データ１〜３の乱数値の組合せによって、外れ時に前記表示装置１０に表示される左特別図柄、中特別図柄、右特別図柄からなる識別情報が定まる。
【００７１】
変動態様乱数用カウンタは、前記表示装置１０における特別図柄の変動中に表示装置１０で表示する変動態様を変動態様テーブルから選択する際に用いられるものであり、‘０’〜‘１９８’の変動態様乱数を備える。選択される変動態様には、特別図柄の変動表示態様が、特別図柄の変動時間と共に設定されている。変動態様乱数は、遊技機１の電源投入時に、‘０’から始まり、後述の普通図柄・特別図柄主要乱数更新処理ごとに１ずつ加算され、数値が‘１９８’に至ると、次に‘０’に戻って再び前記加算を繰り返すようになっている。前記変動態様乱数は、前記第１始動入賞口４１あるいは第２始動入賞口４２への入賞に起因して取得される。
【００７２】
変動態様テーブルは複数設けられている。各変動態様テーブルは、前記表示装置１０に表示する特別図柄の変動態様の複数で構成されており、前記主制御基板２００のＲＯＭに記憶されている。前記変動態様テーブルの選択は、本実施例では、当否判定結果が当たりか外れか、確変（特典遊技）の有無、及びリーチ有無に応じて行われる。また、選択された変動態様テーブルからの変動態様の選択は、取得した変動態様乱数値に基づいて複数の変動態様から１つの変動態様が選択される。なお、変動態様テーブル内の各変動態様には変動態様乱数値が割り当てられており、取得した変動態様乱数値と対応する変動態様が選択されるように構成されている。
【００７３】
なお、取得された大当たり乱数値、大当たり図柄乱数値、特別図柄データ乱数値、リーチ乱数値、変動態様乱数値については、それぞれ最大４個、前記主制御基板２００のＲＡＭにおける該当領域に前記特別図柄保留球数と対応させて格納され、順次使用される。
【００７４】
普通図柄乱数用カウンタは、普通図柄当たりを判定するもので、‘０’〜‘２９９’の普通図柄乱数を有し、遊技機１の電源投入時に、‘０’から始まって後述の普通図柄・特別図柄主要乱数更新処理ごとに
‘１’ずつ加算され、‘２９９’に至ると、次に‘０’に書き換えられて再び前記加算が繰り返される。この普通図柄乱数は、前記普通図柄変動開始用ゲート５５を通過した遊技球を前記普通図柄変動開始スイッチで検出するごとに取得され、最大４個まで前記主制御基板２００のＲＡＭの普通図柄乱数値記憶領域に格納される。前記普通図柄変動開始用ゲート５５を遊技球が通過することに起因して取得された普通図柄乱数の値が、低確率（通常遊技）状態時には普通図柄当たり成立数値として設定されている‘５’（１／３００の確率）と一致すれば普通図柄当たりとなり、一方、確変（高確率遊技）状態時には普通図柄当たり成立数値として設定されている‘０’〜‘５９’（１／５）の確率）と一致すれば普通図柄当たりとなる。普通図柄当たりの場合には『○』を普通図柄表示装置５０に表示し、前記第２始動入賞口４２を前記確変状態中か否かに対応した開放回数及び開放時間開放し、一方、取得した普通図柄乱数値が普通図柄当たり成立数値と一致しない場合には、普通図柄外れとなって『×』を普通図柄表示装置５０に表示し、前記第２始動入賞口４２を入賞の困難な状態のままとする。
【００７５】
ここで前記遊技機１の遊技について説明する。前記遊技機１では、遊技領域６へ向けて発射装置６４により発射された遊技球が、前記種々の入賞口に入賞すると入賞口に応じた所定数の遊技球が賞球として前記払出装置２８１から上側球受け皿３６に払い出される。また、前記普通図柄変動開始用ゲート５５を遊技球が通過すると、普通図柄保留球数が４未満であれば、普通図柄保留球数を１加算して普通図柄乱数値が取得され、前記主制御基板２００のＲＡＭに、最大４となるまで記憶される。そして、前記主制御基板２００のＲＡＭに記憶されている普通図柄保留球数が１以上であれば、記憶されている普通図柄乱数値に基づいて普通図柄当たりの判定が行われると共に、前記普通図柄表示装置５０で普通図柄が変動を開始し、所定時間変動後に停止する。その際、普通図柄当たりの判定結果が当たりの場合には、当たり普通図柄、この例では『○』で停止し、前記第２始動入賞口４２の開閉部材４３が背面の始動入賞口用ソレノイドによって入賞困難な閉状態（通常状態）から入賞可能な開状態に変化する。前記第２始動入賞口４２に遊技球が入賞すると、所定数の遊技球が賞球として払い出される。なお、主制御基板２００のＲＡＭに記憶されている普通図柄保留球数が０の場合には、その後に前記普通図柄変動開始用ゲート５５を遊技球が通過して、前記主制御基板２００のＲＡＭに記憶されている普通図柄保留球数が１以上となるまで、普通図柄の変動表示が行われない。
【００７６】
また、前記第１始動入賞口４１あるいは第２始動入賞口４２に遊技球が入賞すると、特別図柄保留球数が４未満であれば、特別図柄保留球数を１加算して、大当たり乱数値、大当たり図柄乱数値、特別図柄データ乱数値、リーチ乱数値、変動態様乱数値等の乱数値を取得し、前記主制御基板２００のＲＡＭに、最大４となるまで記憶される。そして、前記主制御基板２００のＲＡＭに記憶されている特別図柄保留球数が１以上であれば、記憶されている大当たり乱数値に基づいて大当たりの当否判定が行われると共に、当否判定結果、リーチ有無判定結果、及び変動態様乱数値に基づいて変動態様テーブルから前記表示装置１０に表示する特別図柄の変動態様が選択される。そして選択された変動態様に基づいて前記表示装置１０で特別図柄が変動開始すると共に、設定されている背景が表示装置１０に表示される。なお、主制御基板２００のＲＡＭに記憶されている特別図柄保留球数が０の場合には、その後に前記第１始動入賞口４１あるいは第２始動入賞口４２に遊技球が入賞して、前記主制御基板２００のＲＡＭに記憶されている特別図柄保留球数が１以上となるまで、前記当否判定及び特別図柄の変動表示が行われない。
【００７７】
選択された変動態様に設定されている変動時間の経過（変動時間の終了）により、前記表示装置１０で特別図柄が停止表示される。当否判定結果が外れの場合には前記表示装置１０に左特別図柄、中特別図柄、右特別図柄が外れ図柄組み合わせ（ぞろ目以外の状態）で停止し、特別遊技（大当たり遊技）に移行することがない。
一方、前記当否判定結果が大当たりの場合には、前記表示装置１０に左特別図柄、中特別図柄、右特別図柄が大当たり図柄組み合わせ（本実施例ではぞろ目）で停止し、特別遊技（大当たり遊技）に移行する。その際、前記停止特別図柄が奇数のぞろ目の場合には、前記大当たり遊技（特別遊技）の動作が図４８に示したロングとなり、一方、前記停止特別図柄が偶数のぞろ目の場合には、前記大当たり遊技（特別遊技）の動作が図４９に示したショートとなる。
【００７８】
ロング及びショートの何れの場合においても、１４ラウンド目と１６ラウンド目の上大入賞口７１のラウンド状態では、前記確変領域開閉板７５の開放により、前記有効期間内に遊技球が前記確変領域７６を通過したことが前記確変領域スイッチ７７で検出（確認）されると、確変（特典遊技）が決定され、大当たり遊技（特別遊技）終了後の遊技状態が通常遊技状態よりも遊技者に有利な確変状態（特典遊技状態）に設定される。一方、遊技球が前記確変領域７６を通過しないと、大当たり遊技（特別遊技）の終了後の遊技状態が通常遊技状態（低確率状態）に設定される。
【００７９】
また、前記ロング及びショートの何れの場合においても、１４ラウンド目及び１６ラウンド目における前記第一閉鎖時間（開放遅延時間）内に、遊技球が前記確変領域７６を通過したことが前記確変領域スイッチ７７で検出（検知）されると、前記スピーカ３８あるいはランプ３５又は表示装置１０等で、異常報知（エラー報知）が行われる。
【００８０】
さらに、本実施例では、前記上大入賞口７１及び前記下大入賞口８１の閉鎖後の入賞無効期間内に、大入賞口への入賞が検出（検知）されたり、前記上大入賞口７１が開放していないときに確変領域７６あるいは上大入賞口用排出口７８を遊技球が通過したことが検出（検知）されたり、前記下大入賞口８１が開放中のときに、前記上大入賞口７１の内部に位置する確変領域７６又は上大入賞口用排出口７８を遊技球が通過したことが検知されたり、前記上大入賞口７１の入賞数と確変領域７６及び上大入賞口用排出口７８の通過球数が一致していなかったりすると、前記スピーカ３８あるいはランプ３５又は表示装置１０等で、異常報知（エラー報知）が行われる。
【００８１】
前記ロング及びショートの何れの大当たり遊技においても、前記開放中の大入賞口（上大入賞口７１又は前記下大入賞口８１）に遊技球が入賞すると遊技球が賞球として払い出される。また、ラウンド時間（開放維持時間）が残っている（第１終了条件未成立）状態であっても、開放中の大入賞口（上大入賞口７１又は前記下大入賞口８１）に遊技球が１０球入賞（入球）した（第２終了条件成立）時点でそのラウンド状態が終了し、次のインターバル時間に移る。
【００８２】
以下に遊技機１における制御処理を説明する。前記主制御基板２００の制御回路に設けられる主なフラグとして、本実施例では大当たりフラグ、確変有効フラグ、報知無効フラグ、電源断フラグ等が挙げられる。これらのフラグは、初期設定時には全てＯＦＦにされる。
【００８３】
前記主制御基板２００では、前記ＲＯＭに記憶されている制御プログラム（主制御手順）に従い前記ＣＰＵがメイン処理Ｍを行う。図５はメイン処理Ｍのフローチャートである。
【００８４】
メイン処理Ｍでは、ＣＰＵ等の初期設定処理（Ｓ１０）、割り込み禁止処理（Ｓ２０）、普通図柄・特別図柄主要乱数更新処理（Ｓ３０）、割り込み許可処理（Ｓ４０）が行われ、最終処理においてループ処理が行われている間に４ｍｓ毎に割り込み処理（Ｓ１００）が実行される。
【００８５】
ＣＰＵ等の初期設定処理（Ｓ１０）では、スタックの設定、割り込み時間の設定、ＣＰＵの設定、ＳＩＯ、ＰＩＯ、ＣＴＣの設定等が行われる。メイン処理Ｍは繰り返し行われるが、ＣＰＵ等の初期設定処理（Ｓ１０）については、電源投入時のみに必要な初期制御手順であり、最初の１巡目のみに実行され、その後は実行されないが、周知であるので詳細は省略する。
【００８６】
割り込み禁止処理（Ｓ２０）では、４ｍｓｅｃごとに割り込み処理（Ｓ１００）が入ってきても、割り込み許可となるまで、割り込みを禁止する。普通図柄・特別図柄主要乱数更新処理（Ｓ３０）では、種々の乱数が普通図柄・特別図柄主要乱数更新処理（Ｓ３０）ごとに加算され、前記のように各乱数の設定上限値に至ると次に最低値に戻って再び加算が行われる。更新された乱数は前記主制御基板２００のＲＡＭに記憶される。割り込み許可処理（Ｓ４０）では、４ｍｓｅｃごとに入ってくる割り込み処理（Ｓ１００）に対して許可をする。
【００８７】
割り込み処理（Ｓ１００）では、図６に示すように、コマンド処理（Ｓ１１０）、普通図柄・特別図柄乱数更新処理（Ｓ１２０）、セキュリティ制御処理（Ｓ１３０）、始動入賞口スイッチ検出処理（Ｓ１４０）、普通動作処理（Ｓ１５０）、特別動作処理（Ｓ１６０）、保留球数処理（Ｓ１７０）、電源断監視処理（Ｓ１８０）、その他の処理（Ｓ１９０）が順に行われる。
【００８８】
コマンド処理（Ｓ１１０）では、各処理で出力バッファに格納されたコマンド（指令信号）の各制御基板への送信、遊技機１に取り付けられている各種センサ（スイッチ）が検知した場合の信号入力が行われる。
普通図柄・特別図柄主要乱数更新処理（Ｓ１２０）では、前記メイン処理Ｍにおけるループ処理内で行われている普通図柄・特別図柄主要乱数更新処理（Ｓ３０）と同様の処理が行われる。
【００８９】
セキュリティ制御処理（Ｓ１３０）では、異常状態を検出する処理が行われ、図７に示すように、下大入賞口異常判定処理（Ｓ１３０−１）、上大入賞口異常判定処理（Ｓ１３０−２）、確変領域異常通過判定処理（Ｓ１３０−３）、上大入賞口検出無し時異常判定処理（Ｓ１３０−４）、下大入賞口検出時異常判定処理（Ｓ１３０−５）、その他異常制御処理（Ｓ１３０−６）が順次行われる。
【００９０】
下大入賞口異常判定処理（Ｓ１３０−１）では、図８に示すように、まず前記下大入賞口８１閉鎖後の有効期間（入賞有効期間）中か否か判断され（Ｓ１３０−１−１）、有効期間中であれば、前記下大入賞口異常判定処理（Ｓ１３０−１）が終了する。有効期間中でない場合、すなわち無効期間中の場合には、前記下大入賞口８１が作動中（開放状態中）か否か判断され（Ｓ１３０−１−２）、作動中であれば前記下大入賞口異常判定処理（Ｓ１３０−１）が終了する。一方、前記下大入賞口８１が作動中でなければ、前記下大入賞口スイッチ８３による遊技球の検出（入賞の検出）有無が判断され（Ｓ１３０−１−３）、検出がなければ、前記下大入賞口異常判定処理（Ｓ１３０−１）が終了する。一方、前記下大入賞口スイッチ８３による遊技球の検出（入賞の検出）があれば、その検出が異常であることを前記スピーカ３８等で報知するための下大入賞口エラーコマンドを出力バッファに格納し（Ｓ１３０−１−４）、前記下大入賞口異常判定処理（Ｓ１３０−１）が終了する。なお、前記下大入賞口異常判定処理（Ｓ１３０−１）は、下大入賞口（可変入賞装置）８１の入賞異常報知手段及び異常制御手段に相当する。
【００９１】
上大入賞口異常判定処理（Ｓ１３０−２）では、図９に示すように、まず前記上大入賞口７１の閉鎖後の有効期間（入賞有効期間）中か否か判断され（Ｓ１３０−２−１）、有効期間中であれば、前記上大入賞口異常判定処理（Ｓ１３０−２）が終了する。一方、有効期間中でない場合、すなわち無効期間の場合には、前記上大入賞口７１が作動中（開放状態中）か否か判断され（Ｓ１３０−２−２）、作動中であれば、前記上大入賞口異常判定処理（Ｓ１３０−２）が終了する。一方、作動中でなければ、前記上大入賞口スイッチ７３による遊技球の検出（入賞の検出）有無が判断され（Ｓ１３０−２−３）、検出がなければ、前記上大入賞口異常判定処理（Ｓ１３０−２）が終了する。一方、前記上大入賞口スイッチ７３による遊技球の検出（入賞の検出）があれば、その検出が異常であることを前記スピーカ３８等で報知するための上大入賞口エラーコマンドを出力バッファに格納し（１３０−２−４）、前記上大入賞口異常判定処理（Ｓ１３０−２）が終了する。なお、前記上大入賞口異常判定処理（Ｓ１３０−２）は、入賞異常報知手段及び異常制御手段に相当する。
【００９２】
確変領域異常通過判定処理（Ｓ１３０−３）では、図１０に示すように、まず確変有効フラグがＯＮ（成立）か否か判断される（Ｓ１３０−３−１）。確変有効フラグがＯＮ（成立）は有効期間であることを示し、一方、確変有効フラグがＯＦＦの場合には無効期間であることを示す。前記Ｓ１３０−３−１で確変有効フラグがＯＮ（有効期間）と判断された場合、前記確変領域異常通過判定処理（Ｓ１３０−３）が終了する。一方、前記確変有効フラグがＯＦＦ（無効期間）の場合には、報知無効フラグがＯＮか否か判断される（Ｓ１３０−３−２）。報知無効フラグがＯＮ（成立）の場合には報知無しを示し、一方、報知無効フラグがＯＦＦ（成立していない）場合には報知有りを示す。
【００９３】
前記Ｓ１３０３−３−２で報知無効フラグがＯＮ（報知無し）と判断されると、前記確変領域異常通過判定処理（Ｓ１３０−３−１）が終了する。一方、前記報知無効フラグがＯＦＦ（報知有り）と判断されると、前記確変領域スイッチ７７で遊技球が検出されたか否か判断され（Ｓ１３０−３−３）、検出されていない場合、前記確変領域異常通過判定処理（Ｓ１３０−３）が終了する。一方、前記確変領域スイッチ７７で遊技球が検出された場合には、その検出が異常であることを前記スピーカ３８等で報知するための確変領域エラーコマンドを出力バッファに格納し（Ｓ１３０−３−４）、前記確変領域異常通過判定処理（Ｓ１３０−３）が終了する。すなわち、遊技球が前記確変領域７６を通過しても確変状態（特典付与状態）とならない期間（無効期間）で、且つエラー報知（異常報知）が可能な期間（確変領域に関する第一閉鎖時間、開放遅延時間）のときに、前記確変領域スイッチ７７で遊技球が検出された場合はエラー報知（異常報知）を行う。前記確変領域異常通過判定処理（Ｓ１３０−３）は、異常制御手段に相当する。
【００９４】
上大入賞口検出無し時異常判定処理（Ｓ１３０−４）では、図１１に示すように、まず前記上大入賞口スイッチ７３による遊技球の検出有無が判断され（Ｓ１３０−４−１）、検出があれば前記上大入賞口検出無し時異常判定処理（Ｓ１３−４）が終了する。一方、前記上大入賞口スイッチ７３により遊技球が検出されていない場合、タイマ残の有無が判断される（Ｓ１３０−４−２）。前記タイマは前記上大入賞口７１における開放時間の残りを計測するものであり、開放時間の残りが無くなるとタイマ残が０になる。タイマ残がある場合、すなわち前記上大入賞口７１が開放中の場合には、前記上大入賞口検出無し時異常判定処理（Ｓ１３０−４）が終了する。一方、タイマ残が無い場合、すなわち前記上大入賞口７１の開放が終了した閉鎖中の場合には、前記確変領域スイッチ７７による遊技球の検出有無が判断され（Ｓ１３０−４−３）、検出された場合、その検出が異常であることを前記スピーカ３８等で報知するための上大入賞口検出無し時エラーコマンドを出力バッファに格納し（Ｓ１３０−４−５）、その後に前記上大入賞口検出無し時異常判定処理が終了する（Ｓ１３０−４）。
【００９５】
一方、前記Ｓ１３０−４−３で確変領域スイッチ７７による遊技球の検出が無いと判断された場合、次に前記排出口スイッチ７９による遊技球の検出有無が判断される（Ｓ１３０−４−４）。前記排出口スイッチ７９による遊技球の検出が無い場合、前記上大入賞口検出無し時異常判定処理（Ｓ１３０−４）が終了する。一方、前記排出口スイッチ７９による遊技球の検出があった場合、その検出が異常であることを前記スピーカ３８等で報知するための上大入賞口検出無し時エラーコマンドを出力バッファに格納する（Ｓ１３０−４−５）。すなわち前記上大入賞口スイッチ７３により遊技球が検出されず、且つタイマ残が無く（上大入賞口閉鎖中）、しかも前記確変領域スイッチ７７による遊技球の検出が無い場合、正常であれば、前記上大入賞口７１が開放していないときは確変領域７６及び上大入賞口用排出口７８の何れにおいても遊技球の通過はあり得ないため、その間に検出された遊技球の通過を異常と判断してエラー報知を行う。その後に前記上大入賞口検出無し時異常判定処理（Ｓ１３０−４）は終了する。
【００９６】
下大入賞口検出時異常判定処理（Ｓ１３０−５）では、図１２に示すように、まず前記下大入賞口８１が作動中（開放中）か否か判断され（Ｓ１３０−５−１）、作動中でない（閉鎖中）の場合、前記下大入賞口検出時異常判定処理（Ｓ１３０−５）が終了する。前記下大入賞口８１が作動中（開放中）であれば、前記下大入賞口スイッチ８３による遊技球の検出有無が判断され（Ｓ１３０−５−２）、検出がなければ、前記下大入賞口検出時異常判定処理（Ｓ１３０−５）が終了する。
【００９７】
一方、前記Ｓ１３０−５−２で下大入賞口スイッチ８３により遊技球が検出されたと判断された場合、次に前記確変領域スイッチ７７による遊技球の検出有無が判断され（Ｓ１３０−５−３）、前記確変領域スイッチ７７による検出がある場合、その検出が異常であることを報知するための下大入賞口検出時エラーコマンドを出力バッファに格納し（Ｓ１３０−５−５）、前記下大入賞口検出時異常判定処理（Ｓ１３０−５）が終了する。一方、前記確変領域スイッチ７７による遊技球の検出がない場合、次に前記排出口スイッチ７９による遊技球の検出有無が判断され（Ｓ１３０−５−４）、前記排出口スイッチ７９による検出がなければ、前記下大入賞口検出時異常判定処理（Ｓ１３０−５）が終了する。一方、前記排出口スイッチ７９により遊技球が検出された場合、その検出が異常であることを報知するための下大入賞口検出時エラーコマンドを出力バッファに格納し（Ｓ１３０−５−５）、前記下大入賞口検出時異常判定処理（Ｓ１３０−５）が終了する。すなわち、本実施例では、前記上大入賞口７１と下大入賞口８１が同時に開放（作動）することはなく、したがって前記下大入賞口８１が開放中のときに、前記上大入賞口７１の内部に位置する確変領域７６及び上大入賞口用排出口７８を遊技球が通過することはありえないため、その場合に検出された遊技球の通過は前記下大入賞口検出時異常判定処理（Ｓ１３０−５）で異常と判断してエラー報知を行うようにしている。
【００９８】
その他異常制御処理（Ｓ１３０−６）では、異常処理に必要なその他の処理が行われるが、本発明の特徴に直接関係しないため、詳細な説明を省略する。
【００９９】
始動入賞口スイッチ検出処理（Ｓ１４０）では、図１３に示すように、まず前記普通図柄変動開始用ゲート５５を遊技球が通過したか否か判断され（Ｓ１４０−１）、遊技球が前記普通図柄開始用ゲート５５を通過していればゲート通過処理（Ｓ１４０−２）を行い、普通図柄開始用ゲート５５を遊技球が通過していなければ、ゲート通過処理（Ｓ１４０−２）をジャンプして次の処理Ｓ１４０−３が行われる。
【０１００】
ゲート通過処理（Ｓ１４０−２）では、図１４に示すように、普通図柄保留球数が４以上か判断され（Ｓ１４０−２−１）、４以上であればこのゲート通過処理（Ｓ１４０−２）を終了する。一方、４未満であれば、普通図柄保留球数に１加算され（Ｓ１４０−２−２）、普通図柄乱数値が取得され（Ｓ１４０−２−３）、このゲート通過処理（Ｓ１４０−２）が終了し、次の処理Ｓ１４０−３が行われる。
【０１０１】
Ｓ１４０−３では、前記第１始動入賞口４１あるいは第２始動入賞口４２に遊技球が入賞したか否か判断され、入賞していない場合にはこの始動入賞口スイッチ検出処理（Ｓ１４０）が終了し、一方、前記第１始動入賞口４１あるいは第２始動入賞口４２に入賞している場合には、次に前記主制御基板２００のＲＡＭに記憶されている前記特別図柄保留球数が設定数の４以上か確認される（Ｓ１４０−４）。前記特別図柄保留球数が４以上であれば、この始動入賞口スイッチ検出処理（Ｓ１４０）を終了し、一方、４未満であれば、前記特別図柄保留球数に前記始動入賞口スイッチで検出された遊技球検出数１が加算される（Ｓ１４０−５）。続いて、特別図柄関係乱数取得処理（Ｓ１４０−６）が行われ、その後にこの始動入賞口スイッチ検出処理（Ｓ１４０）が終了する。前記特別図柄関係乱数取得処理（Ｓ１４０−６）では、前記ＲＡＭに記憶されている特別図柄関係の更新乱数が取得され、現在の特別図柄保留球数と対応するＲＡＭアドレスに取得乱数がセーブ（記憶）される。ここで取得される乱数値は、例えば大当たり乱数値、大当たり図柄乱数値、特別図柄データ乱数値、リーチ乱数値、変動態様乱数値である。なお、現在の特別図柄保留球数と対応するＲＡＭアドレスに取得乱数値がセーブされるとは、例えば現在の特別図柄保留球数が１の場合には特別図柄保留球数１と対応するＲＡＭアドレスに取得乱数値がセーブされ、特別図柄保留球数が２の場合には特別図柄保留球数２と対応するＲＡＭアドレスに取得乱数値がセーブされることを意味する。
【０１０２】
前記始動入賞口スイッチ検出処理（Ｓ１４０）に次いで、普通動作処理（Ｓ１５０）が行われる。
普通動作処理（Ｓ１５０）では、図１５に示すように、まず前記第２始動入賞口４２の開閉部材４３が開放中か確認される（Ｓ１５０−１）。前記第２始動入賞口４２が閉鎖中であれば、普通図柄保留球数が０か確認され（Ｓ１５０−２）、０であればこの普通動作処理（Ｓ１５０）が終了する。一方、普通図柄保留球数が０では無い場合、前記始動入賞口スイッチ検出処理（Ｓ１４０）のゲート通過処理（Ｓ１４０−２）で取得されて主制御基板２００のＲＡＭに記憶されている取得普通図柄乱数値が読み出され（Ｓ１５０−３）、現在確変中（確変フラグＦ２がＯＮ（Ｆ２＝１））か確認される（Ｓ１５０−４）。確変中ではない場合、前記取得普通図柄乱数値が低確率状態中の普通図柄当たり成立数値と対比されて両者が一致するか確認され、一致する場合には低確率状態での普通図柄当たりとなり、一致しない場合には外れと判断される（Ｓ１５０−５）。外れの場合には、この普通動作処理（Ｓ１５０）が終了し、一方、普通図柄当たりの場合には、第２始動入賞口４２を開放時間１秒、開放回数１回で開放する開閉部材開放処理１が行われ（Ｓ１５０−６）、その後にこの普通動作処理（Ｓ１５０）が終了する。それに対して、Ｓ１５０−４で確変中と判断されると、前記取得普通図柄乱数値が高確率状態中の普通図柄たり成立数値と対比されて両者が一致するか確認され、一致する場合には高確率状態での普通図柄当たりとなり、一致しない場合には外れと判断される（Ｓ１５０−７）。外れの場合には、この普通動作処理（Ｓ１５０）が終了し、一方、普通図柄当たりの場合には、第２始動入賞口４２の開閉部材４３を開放時間２秒、開放回数３回で開放する開閉部材開放処理２が行われ（Ｓ１５０−８）、その後にこの普通動作処理（Ｓ１５０）が終了する。
【０１０３】
また、Ｓ１５０−１で前記第２始動入賞口４２の開閉部材４３が開放中と判断されると、第２始動入賞口４２の開閉部材４３の開放時間が経過（終了）したか確認され（Ｓ１５０−９）、開放時間が経過していない場合には、この普通動作処理（Ｓ１５０）が終了し、一方、開放時間が経過した場合には、第２始動入賞口４２の開閉部材４３を閉鎖する処理が行われ（Ｓ１５０−１０）、その後にこの普通動作処理（Ｓ１５０）が終了する。
【０１０４】
特別動作処理（Ｓ１６０）では、図１６に示すように、まず上大入賞口内処理（Ｓ１６０−１）が行われ、その後、特別動作ステータスが０〜７の何れであるか判断され（Ｓ１６０−２）、特別動作ステータスが０の場合には特別図柄待機処理（Ｓ１６０−３）が行われ、特別動作ステータスが１の場合には特別図柄変動処理（Ｓ１６０−４）が行われ、特別動作ステータスが２の場合には特別図柄確定処理（Ｓ１６０−５）が行われ、特別動作ステータスが３の場合には大当たり開始処理（Ｓ１６０−６）が行われ、特別動作ステータスが４の場合には大入賞口開放処理（Ｓ１６０−７）が行われ、特別動作ステータスが５の場合には大入賞口閉鎖１処理（Ｓ１６０−８）が行われ、特別動作ステータスが６の場合には大入賞口閉鎖２処理（Ｓ１６０−９）が行われ、特別動作ステータスが７の場合には大当たり終了処理（Ｓ１６０−１０）が行われる。なお、前記特別動作ステータス３の場合の大当たり開始処理（Ｓ１６０−６）、特別動作ステータス４の場合の大入賞口開放処理（Ｓ１６０−７）、特別動作ステータス５の場合の大入賞口閉鎖１処理（Ｓ１６０−８）、特別動作ステータス６の場合の大入賞口閉鎖２処理（Ｓ１６０−９）、特別動作ステータス７の場合の大当たり終了処理（Ｓ１６０−１０）は、特別遊技実行手段の処理に相当する。
【０１０５】
上大入賞口内処理（Ｓ１６０−１）では、前記確変領域７６の動作設定や確変領域７６への遊技球通過状況に応じて大当たり遊技（特別遊技）終了後の遊技状態を設定する処理が、特別ステータスの値に関係なく割り込み処理の実行毎に行われる。また、前記上大入賞口７１内には前記確変領域７６が設けられているため、上大入賞口内処理（Ｓ１６０−１）の処理中に後述の確変ソレノイド動作処理（Ｓ１６０−１−２）によって確変領域７６に対する動作設定が行われる。
【０１０６】
前記上大入賞口内処理（Ｓ１６０−１）では、図１７に示すように、まず前記上大入賞口７１が作動中（開放中）か判断され（Ｓ１６０−１−１）、作動中でなければ、前記確変領域７６にも遊技球が通過しないため、前記上大入賞口内処理（Ｓ１６０−１）が終了する。一方、前記上大入賞口７１が作動中（開放中）の場合には、前記確変領域７６の動作設定のために確変領域ソレノイド動作処理（Ｓ１６０−１−２）が行われ、次に、前記上大入賞口スイッチ７３が遊技球を検知（検出）したか否か判断される（Ｓ１６０−１−３）。遊技球を検知した場合、上大入賞口内球数カウンタの値を１加算して上大入賞口７１への入賞球数を記憶し（Ｓ１６０−１−４）、その後、前記排出口スイッチ７９が遊技球を検知したか否か判断される（Ｓ１６０−１−５）。一方、Ｓ１６０−１−３で上大入賞口スイッチ７３が遊技球を検知しなかった場合、前記上大入賞口内球数カウンタの値を加算する処理（Ｓ１６０−１−４）をジャンプし、前記排出口スイッチ７９による遊技球検知判断処理（Ｓ１６０−１−５）へ移行する。Ｓ１６０−１−５で前記排出口スイッチ７９が遊技球を検知したと判断された場合、前記上入賞口内球数カウンタが０か否か判断される（Ｓ１６０−１−６）。前記上入賞口内球数カウンタが０の場合、前記上大入賞口スイッチ７３で遊技球が検知されていない（すなわち入賞していない）にもかかわらず前記上大入賞口７１内の前記上大入賞口用排出口７８を遊技球を通過したことになり、不正行為による異常通過あるいは上大入賞口スイッチ７３の故障などの虞があるため、次のステップに進まないように、前記上大入賞口内処理（Ｓ１６０−１）が終了する。
【０１０７】
一方、前記Ｓ１６０−１−６で前記上入賞口内球数カウンタが０ではないと判断された場合、すなわち前記上大入賞口７１に入賞している場合には正常と判断して、前記上大入賞口内球数カウンタの値を１減算する（Ｓ１６０−１−７）。このステップにより、遊技球の検出が正常の場合は、上大入賞口内球数カウンタの値は常に０となる。次に前記確変領域スイッチ７７により遊技球を検知したか否かの判断が行われる（１６０−１−８）。また、前記Ｓ１６０−１−５で前記排出口スイッチ７９により遊技球が検知されていないと判断された場合は、前記Ｓ１６０−１−６及びＳ１６０−１−７の処理をジャンプし、前記確変領域スイッチ７７により遊技球を検知したか否かの判断が行われる（Ｓ１６０−１−８）。前記確変領域スイッチ７７により遊技球が検知されなかった場合、前記上大入賞口７１内に遊技球が確認されないことになるため、前記上大入賞口内処理（Ｓ１６０−１）が終了する。
【０１０８】
前記Ｓ１６０−１−８において前記確変領域スイッチ７７により遊技球を検知したと判断された場合は、次に前記上大入賞口内球数カウンタの値が０か否か判断される（Ｓ１６０−１−９）。前記上大入賞口内球数カウンタが０の場合、上大入賞口７１への入賞が無いにもかかわらず前記確変領域スイッチ７７により遊技球が検知されたことにより、不正行為による異常通過あるいは上大入賞口スイッチ７３の故障などの虞があるため、次のステップに進まないように前記上大入賞口内処理（Ｓ１６０−１）を終了させる。一方、前記Ｓ１６０−１−９で上大入賞口内球数カウンタの値が０ではないと判断された場合、前記上大入賞口内球数カウンタの値を１減算し（Ｓ１６０−１−１０）、次に確変領域有効フラグがＯＮ（有効期間）か否か判断される（Ｓ１６０−１−１１）。確変領域有効フラグがＯＮではない、すなわちＯＦＦ（無効期間）の場合、前記上大入賞口内処理（Ｓ１６０−１）が終了し、一方、確変領域有効フラグがＯＮ（有効期間）の場合は、確変領域通過フラグがＯＮにセットされ（Ｓ１６０−１−１２）、その後に前記上大入賞口内処理（Ｓ１６０−１）が終了する。前記上大入賞口内処理（Ｓ１６０−１）は特典遊技実行決定手段に相当する。また、前記Ｓ１６０−１−８の処理は特典付与領域の遊技球通過を確認する遊技球確認手段に相当する。
【０１０９】
前記Ｓ１６０−１−１で上大入賞口７１が作動中と判断された場合に行われる前記確変領域ソレノイド動作処理（Ｓ１６０−１−２）では、前記確変領域開閉板（開閉部材）７５の動作設定が行われる。すなわち、本実施例では、前記上大入賞口７１の１回のラウンド中に遊技球が前記確変領域７６を通過可能な状態（ＯＮ）と、通過困難な状態（ＯＦＦ）とに複数回切り替わるように前記確変領域開閉板（開閉部材）７５が動作するため、前記確変領域７６に対する個々の動作内容について予め定められており、その動作内容に従って確変領域ソレノイド動作処理（Ｓ１６０−１−２）で動作設定を行う。
【０１１０】
図４７の表１には、前記確変領域７６に対する動作内容が有り当てられた確変領域動作カウンタを示す。確変領域動作カウンタの値０〜１０には、実行時間、確変領域ソレノイドのＯＮとＯＦＦ、通過の有効と無効、報知の有無が設定されている。実行時間は各状態を維持する動作時間、確変領域ソレノイドのＯＮは前記確変領域開閉板（開閉部材）７５の開放、ＯＦＦは前記確変領域開閉板（開閉部材）７５の閉鎖を表す。また、通過の無効は遊技球が確変領域７６を通過しても確変状態（特典遊技状態）としない、すなわち確変状態の決定を無効とする確変領域の無効期間であり、一方、通過の有効は遊技球が確変領域７６を通過した場合に確変状態（特典遊技状態）とする、すなわち確変状態の決定を有効とする確変領域の有効期間を表す。また、報知の有りはエラー報知（異常報知）を行うことを表し、一方、報知の無しはエラー報知（異常報知）を行わないことを表す。
【０１１１】
前記確変領域ソレノイド動作処理（Ｓ１６０−１−２）では、図１８に示すように、まず前記確変領域動作カウンタの値０〜１０における現在の値がロードされ（Ｓ１６０−１−２−１）、現在の確変領域動作カウンタの値が１０以上か判断される（Ｓ１６０−１−２−２）。１０以上の場合、本実施例ではそれ以上の動作が行われないため、前記確変領域ソレノイド動作処理（Ｓ１６０−１−２）が終了する。一方、現在の確変領域動作カウンタの値が１０未満の場合には、タイマ残の有無が判断される（Ｓ１６０−１−２−３）。ここで判断されるタイマ残は、現在の確変領域動作カウンタの値に設定されている動作の実行時間における残り時間である。タイマ残がある場合、すなわち動作の実行時間に残りがある場合、残り時間を経過させるために前記確変領域ソレノイド動作処理（Ｓ１６０−１−２）が終了する。
【０１１２】
前記Ｓ１６０−１−２−３でタイマ残が無い、すなわち動作の実行時間が経過したと判断された場合、現在の確変領域動作カウンタの値に１加算し（Ｓ１６０−１−２−４）、加算後の確変領域動作カウンタの値（すなわち次の確変領域動作カウンタの値）がロードされる（Ｓ１６０−１−２−５）。ロードされた確変領域動作カウンタの値に設定されている動作の実行時間が、確変領域有効期間か確認され（Ｓ１６０−１−２−６）、有効期間であれが確変領域有効フラグがＯＮにセットされ（Ｓ１６０−１−２−７）、エラー報知有無が確認される（Ｓ１６０−１−２−８）。一方、前記Ｓ１６０−１−２−６で確変領域有効期間でははない、すなわち確変領域無効期間と判断されると、前記確変領域有効フラグのセット（Ｓ１６０−１−２−７）をジャンプしてエラー報知有無が確認される（Ｓ１６０−１−２−８）。エラー報知無しと判断されると報知無効フラグがＯＮにセットされ（Ｓ１６０−１−２−９）、その後に前記確変領域ソレノイド動作処理（Ｓ１６０−１−２）が終了する。一方、前記Ｓ１６０−１−２−８でエラー報知無しではない（エラー報知有り）と判断されると報知無効フラグがＯＮにされることなく前記確変領域ソレノイド動作処理（Ｓ１６０−１−２）が終了する。
【０１１３】
なお、本実施例では、確変領域の動作実行時間に設定されたエラー報知を行う期間は、確変領域動作カウンタの値が０、９、１０となっており、この期間は確変領域無効期間のため遊技球が確変領域７６を通過しても確率変動状態（特典遊技状態）とはならず、更にこの期間での確変領域７６の通過はほぼあり得ないために不正による通過の可能性が高く、エラー報知（異常報知）を行うように報知有りに設定している。なお、確変領域動作カウンタ０の期間は前記確変領域７６に関する第一閉鎖時間及び開放遅延時間に該当する。また、確変領域動作カウンタ９、１０は、ラウンド時間及びインターバル時間が経過しても上大入賞口７１の入球数と確変領域７６及び上大入賞口用排出口７８の通過球数が一致していない異常時にのみ設定されるため、確変領域動作カウンタ９が設定された時点でエラー報知（異常報知）を行うように構成している。
【０１１４】
また本実施例では、前記確変領域動作カウンタの値が１〜８の期間では、確変領域無効期間が設定された期間と確変領域有効期間が設定された期間があるが、エラー報知（異常報知）を行う期間は設定されてなく、エラー報知無しになっている。本実施例では、確変領域動作カウンタの値が１〜８の期間は、確変領域７６の確変領域開閉板（開閉部材）７５が開閉動作するため、球ガミや球詰まりによる遊技球の流れの遅延によって確変領域無効期間中に遊技球が確変領域７６を通過する可能性もあることから、この間の確変領域無効期間に確変領域７６を通過してもエラー報知（異常報知）を行わないようにしている。
【０１１５】
特別動作ステータスが０の場合に実行される特別図柄待機処理（Ｓ１６０−３）では、図１９に示すように、前記特別図柄保留球数が０か否か判断され（Ｓ１６０−３−１）、特別図柄保留球数が０の場合には前記表示装置１０が特別図柄の変動中ではない待機画面（待ち受け画面）中か否か判断され（Ｓ１６０−３−８）、待機画面（待ち受け画面）中であれば、この特別図柄待機処理（Ｓ１６０−３）が終了し、一方、待機画面（待ち受け画面）中ではない場合には前記表示装置１０を待機画面（待ち受け画面）にする設定処理が行われ（Ｓ１６０−３−９）、その後にこの特別図柄待機処理（Ｓ１６０−３）が終了する。
【０１１６】
それに対して前記Ｓ１６０−３−１で特別図柄保留球数が０ではないと判断された場合には、特別図柄大当たり判定処理（Ｓ１６０−３−２）、特別図柄選択処理（Ｓ１６０−３−３）、特別図柄変動態様選択処理（Ｓ１６０−３−４）、特別図柄乱数シフト処理（Ｓ１６０−３−５）、特別図柄変動開始設定処理（Ｓ１６０−３−６）、特別動作ステータスを１にセットする処理（Ｓ１６０−３−７）がこの順序で行われる。
【０１１７】
特別図柄大当たり判定処理（Ｓ１６０−３−２）では、遊技の当否判定を行う当否判定手段（遊技の当否判定手段）の処理が行われる。特別図柄大当たり判定処理（Ｓ１６０−３−２）では、図２０に示すように、まず、前記主制御基板２００のＲＡＭに記憶されている取得大当たり乱数値（保留取得大当たり乱数値）がロードされる（１６０−３−２−１）。続いて現在確変中（高確率遊技状態中）か否かが判断される（Ｓ１６０−３−２−２）。前記確変中か否かは、前記主制御基板２００に設けられている確変フラグＦ２がＯＮ（Ｆ２＝１、高確率遊技状態）かＯＦＦ（Ｆ２＝０、通常遊技状態、低確率状態）かによって判断される。確変中ではない場合、通常遊技（低確率）状態時における大当たり成立数値と前記ロードされた大当たり乱数値が一致するか否かにより大当たりか否か判断され（Ｓ１６０−３−２−３）、一致しなければ大当たりではない外れと判断され、外れコマンドが出力バッファにセットされ（Ｓ１６０−３−２−４）、その後にこの特別図柄大当たり判定処理（Ｓ１６０−３−２）が終了する。
【０１１８】
また、Ｓ１６０−３−２−３で低確率状態での大当たりと判断された場合、大当たりフラグＦ１がＯＮ（Ｆ１＝１）にセットされ（Ｓ１６０−３−２−５）、次に取得されている大当たり図柄乱数値に基づいて大当たり動作がロングの当たりかショートの当たりか判断され、該当する大当たりコマンドが出力バッファにセットされ（Ｓ１６０−３−２−６）、その後にこの特別図柄大当たり判定処理（Ｓ１６０−３−２）が終了する。
【０１１９】
また、Ｓ１６０−３−２−２で確変中と判断された場合には、次に高確率状態時における大当たり成立数値と前記ロードされた大当たり乱数値が一致するか否かにより大当たりか否か判断される（Ｓ１６０−３−２−７）。一致しなければ大当たりではない外れと判断され、外れコマンドが出力バッファにセットされ（Ｓ１６０−３−２−８）、その後にこの特別図柄大当たり判定処理（Ｓ１６０−３−２）が終了する。一方、Ｓ１６０−３−２−７で高確率状態での大当たりと判定された場合には、大当たりフラグＦ１がＯＮ（Ｆ１＝１）にセットされ（Ｓ１６０−３−２−５）、次に取得されている大当たり図柄乱数値に基づいて大当たり動作がロングの当たりかショートの当たりか判断され、該当する大当たりコマンドが出力バッファにセットされ（Ｓ１６０−３−２−６）、その後にこの特別図柄大当たり判定処理（Ｓ１６０−３−２）が終了する。
【０１２０】
前記特別図柄大当たり判定処理（Ｓ１６０−３−２）の次に、特別図柄選択処理（Ｓ１６０−３−３）が行われる。
特別図柄選択処理（Ｓ１６０−３−３）では、当否判定手段による判定結果が大当たりと外れの場合に前記表示装置１０で停止表示する特別図柄（本実施例では特別図柄の数字の組み合わせ）が選択される。特別図柄選択処理（Ｓ１６０−３−３）においては、図２１に示すように、大当たりフラグがＯＮ（大当たりフラグＦ１＝１）か判断され（Ｓ１６０−３−３−１）、大当たりフラグＯＮ、すなわち大当たりであれば、前記大当たり図柄乱数値に基づく特別図柄が停止特別図柄としてセットされる（Ｓ１６０−３−３−２）。一方、大当たりフラグがＯＮ（大当たりフラグＦ１＝１）ではない、すなわち外れの場合には、特別図柄データ乱数値（特別図柄データ１・特別図柄データ２・特別図柄データ３）を取得し（Ｓ１６０−３−３−３）、前記特別図柄データ１と特別図柄データ２と特別図柄データ３の乱数値が全て一致しているか判断され（Ｓ１６０−３−３−４）、一致している場合にはリーチ乱数値がリーチ成立数値と一致しているか判断される（Ｓ１６０−３−３−５）。リーチ乱数値がリーチ成立数値と一致している場合にはリーチ有りとなり、前記特別図柄データ１の乱数値に割り当てられている特別図柄が停止左特別図柄、特別図柄データ２の乱数値に１加算した乱数値に割り当てられている特別図柄が停止中特別図柄、特別図柄データ３の乱数値に割り当てられている特別図柄が停止右特別図柄にセットされる（Ｓ１６０−３−３−６）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１６０−３−３−７）。
【０１２１】
前記Ｓ１６０−３−３−４で特別図柄データ１と２と３の乱数値が一致していないと判断された場合には、特別図柄データ１と３の乱数値が一致しているか判断される（Ｓ１６０−３−３−８）。特別図柄データ１と３の乱数値が一致している場合には、リーチ乱数値がリーチ成立数値と一致しているか判断される（Ｓ１６０−３−３−９）。リーチ乱数値がリーチ成立数値と一致している場合にはリーチ有りとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１６０−３−３−１０）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に１加算した乱数値に割り当てられている特別図柄が停止右特別図柄にセットされる（Ｓ１６０−３−３−７）。
【０１２２】
前記Ｓ１６０−３−３−８で特別図柄データ１と３の乱数値が一致していない、すなわち特別図柄データ１，２，３が全て異なると判断された場合には、リーチ乱数値がリーチ成立数値と一致しているか判断される（Ｓ１６０−３−３−１１）。リーチ乱数値がリーチ成立数値と一致している場合にはリーチ有りとなり、前記特別図柄データ３の乱数値に割り当てられている特別図柄が停止左特別図柄と停止右特別図柄にセットされると共に、特別図柄データ３の乱数値に１加算した乱数値に割り当てられている特別図柄が停止中特別図柄にセットされる（Ｓ１６０−３−３−１２）。一方、リーチ乱数値がリーチ成立数値と一致していない場合にはリーチ無しとなり、前記特別図柄データ１の乱数値に割り当てられている特別図柄が停止左特別図柄、特別図柄データ２の乱数値に割り当てられている特別図柄が停止中特別図柄、特別図柄データ３の乱数値に割り当てられている特別図柄が停止右特別図柄にセットされる（Ｓ１６０−３−３−１０）。
前記特別図柄のセット後、その他の処理（Ｓ１６０−３−３−１３）が実行され、その後にこの特別図柄選択処理（Ｓ１６０−３−３）が終了する。
【０１２３】
前記特別図柄選択処理（Ｓ１６０−３−３）の次に特別図柄変動態様選択処理（Ｓ１６０−３−４）が行われる。
特別図柄変動態様選択処理（Ｓ１６０−３−４）では、特別図柄の変動態様が複数の変動態様テーブルから選択され、選択された変動態様のコマンドが出力バッファに格納される。複数の変動態様テーブルとして、本実施例では通常状態中当たり変動態様テーブル（変動態様テーブル１）、通常状態中リーチハズレ変動態様テーブル（変動態様テーブル３）、通常状態中ハズレ変動態様テーブル（変動態様テーブル４）、確変状態中当たり変動態様テーブル（変動態様テーブル２）、確変状態中リーチハズレ変動態様テーブル（変動態様テーブル５）、確変状態中ハズレ変動態様テーブル（変動態様テーブル６）が設けられている。また、各変動態様テーブルにはそれぞれ複数の変動態様が含まれ、各変動態様には変動態様乱数値が割り当てられている。
【０１２４】
前記特別図柄変動態様選択処理（Ｓ１６０−３−４）では、図２２及び図２３に示すように、まず確変中（高確率状態、特典遊技状態中）か否か判断される（Ｓ１６０−３−４−１）。確変中ではない通常状態（低確率状態、通常遊技状態）の場合には、大当たりフラグがＯＮ（Ｆ１＝１、大当たり）か否か判断される（Ｓ１６０−３−４−２）。大当たりフラグがＯＮ（Ｆ１＝１、大当たり）の場合には、通常状態中当たり変動態様テーブル（変動態様テーブル１）に含まれる複数の変動態様から変動態様乱数値に基づいて通常状態当たりの変動態様１が選択される（Ｓ１６０−３−４−３）。
【０１２５】
Ｓ１６０−３−４−２で大当たりフラグがＯＦＦ（Ｆ１＝０、外れ）と判断された場合には、取得したリーチ乱数値がリーチ成立数値と一致するか判断され（Ｓ１６０−３−４−４）、リーチ乱数値がリーチ成立数値と一致する場合には、通常状態中リーチハズレ変動態様テーブル（変動態様テーブル３）に含まれる複数の変動態様から変動態様乱数値に基づいて通常状態リーチハズレの変動態様３が選択される（Ｓ１６０−３−４−５）。一方、リーチ乱数値がリーチ成立数値と一致しない場合には、通常状態中ハズレ変動態様テーブル（変動態様テーブル４）に含まれる複数の変動態様から変動態様乱数値に基づいて通常状態ハズレの変動態様４が選択される（Ｓ１６０−３−４−６）。
【０１２６】
Ｓ１６０−３−４−１で確変中と判断されると、大当たりフラグがＯＮ（Ｆ１＝１、大当たり）か否か判断され（Ｓ１６０−３−４−７）、大当たりフラグがＯＮ（Ｆ１＝１、大当たり）の場合には、確変状態中当たり変動態様テーブル（変動態様テーブル２）に含まれる複数の変動態様から変動態様乱数値に基づいて確変状態当たりの変動態様２が選択される（Ｓ１６０−３−４−８）。Ｓ１６０−３−４−７で大当たりフラグがＯＦＦ（Ｆ１＝０、外れ）と判断されると、取得したリーチ乱数値がリーチ成立数値と一致するか判断され（Ｓ１６０−３−４−９）、リーチ乱数値がリーチ成立数値と一致する場合には、確変状態中リーチハズレ変動態様テーブル（変動態様テーブル５）に含まれる複数の変動態様から変動態様乱数値に基づいて確変状態リーチハズレの変動態様５が選択される（Ｓ１６０−３−４−１０）。一方、リーチ乱数値がリーチ成立数値と一致しない場合には、確変状態中ハズレ変動態様テーブル（変動態様テーブル６）に含まれる複数の変動態様から変動態様乱数値に基づいて確変状態ハズレの変動態様６が選択される（Ｓ１６０−３−４−１１）。
【０１２７】
前記のようにして変動態様が選択された後、選択された変動態様のコマンド（変動態様コマンド）が出力バッファに格納され（Ｓ１６０−３−４−１２）、その他の処理が行われ（Ｓ１６０−３−４−１３）、その後にこの特別図柄変動態様選択処理（Ｓ１６０−３−４）が終了する。
【０１２８】
前記特別図柄変動態様選択処理（Ｓ１６０−３−４）の次に特別図柄乱数シフト処理（Ｓ１６０−３−５）が行われる。
特別図柄乱数シフト処理（Ｓ１６０−３−５）では、前記ＲＡＭの特別図柄保留球数のデータ記憶領域において、ロード（読み出し）順位一位のアドレスの記憶領域に記憶されていた特別図柄保留球数のデータが、先の処理によりロードされて空席となることに起因して、ロード順位が二位以降のアドレスに記憶されている特別図柄保留球数のデータについて、ロード順位を一つずつ繰り上げるアドレスのシフトが行われる。具体的には、図２４に示すように、まず、前記主制御基板２００のＲＡＭに記憶されている前記特別図柄保留球数から１減算（例えば保留球数２のものは１にされ、３のものは２にされる等）され（Ｓ１６０−３−５−１）、次に各保留球数に対応するデータが各保留球数から１減算した保留球数のＲＡＭアドレスにシフトされ（Ｓ１６０−３−５−２）、続いて最上位（ロード順位が最後、本実施例では４個目）の特別図柄保留球数に対応するＲＡＭアドレスに０がセットされる（Ｓ１６０−３−５−３）。
【０１２９】
前記特別図柄乱数シフト処理（Ｓ１６０−３−５）に次いで、特別図柄変動開始設定処理（Ｓ１６０−３−６）が行われる。
特別図柄変動開始設定処理（Ｓ１６０−３−６）では、図２５に示すように、選択された変動態様の変動時間が設定され（Ｓ１６０−３−６−１）、次に特別図柄変動開始コマンドが出力バッファに格納され（Ｓ１６０−３−６−２）、その後に前記特別図柄変動開始設定処理（Ｓ１６０−３−６）が終了する。
前記特別図柄変動開始設定処理（Ｓ１６０−３−６）の次に、前記特別図柄待機処理（Ｓ１６０−３）では特別動作ステータスが１にセットされ（Ｓ１６０−３−７）、その後に特別図柄待機処理（Ｓ１６０−３）が終了する。
【０１３０】
前記特別動作ステータスが１の場合に行われる特別図柄変動処理（Ｓ１６０−４）では、図２６に示すように、まず特別図柄の変動時間終了、すなわち選択された変動態様の変動時間が終了したか否か判断され（Ｓ１６０−４−１）、変動時間が終了していなければこの特別図柄変動処理（Ｓ１６０−４）が終了する。一方、変動時間が終了していれば特別図柄変動停止コマンドがセットされ（Ｓ１６０−４−２）、続いて特別動作ステータスが２にセットされ（Ｓ１６０−４−３）、その後に特別図柄変動処理（Ｓ１６０−４）が終了する。
【０１３１】
前記特別動作ステータスが２の場合に行われる特別図柄確定処理（Ｓ１６０−５）では、図２７に示すように、まず大当たりフラグがＯＮ（Ｆ１＝１）か否か、すなわち大当たりか否か判断される（Ｓ１６０−５−１）。大当たりフラグがＯＮ（Ｆ１＝１）、すなわち大当たりの場合には、大当たり変動終了（特別図柄変動終了）後のデータ設定が行われる（Ｓ１６０−５−２）。大当たり変動終了（特別図柄変動終了）後のデータ設定としては、実行する特別遊技の設定、大入賞口の動作カウンタ設定、ラウンドカウンタのセット、大当たりオープニング時間の設定等がある。前記大当たり変動終了後のデータ設定（Ｓ１６０−５−２）が行われた後、大当たりオープニングコマンドが出力バッファに格納される（Ｓ１６０−５−３）。大当たりオープニングコマンドは、特別遊技開始時に前記表示装置１０で大当たりオープニング画面を表示させるためのコマンドである。その後に特別動作ステータスが３にセットされ（Ｓ１６０−５−４）、この特別図柄確定処理（Ｓ１６０−５）が終了する。一方、Ｓ１６０−５−１で大当たりではないと判断されると、特別動作ステータスが０にセットされ（Ｓ１６０−５−５）、この特別図柄確定処理（Ｓ１６０−５）が終了する。
【０１３２】
特別動作ステータスが３の場合に実行される大当たり開始処理（Ｓ１６０−６）では、図２８に示すように、まずオープニング時間終了か判断され（Ｓ１６０−６−１）、オープニング時間終了では無い場合、この大当たり開始処理（Ｓ１６０−６）が終了する。一方、オープニング終了時間の場合には、ラウンド回数設定処理（Ｓ１６０−６−２）、大入賞口動作設定処理（Ｓ１６０−６−３）、特別動作ステータスを４に設定する処理（Ｓ１６０−６−４）が、この順序で実行される。
【０１３３】
ラウンド回数設定処理（Ｓ１６０−６−２）では、特別遊技（大当たり遊技）中における現在のラウンド回数及び残りのラウンド有効回数の設定、実行されるラウンド状態の時間が設定される。図２９に示すように、まずラウンド回数が１加算され（Ｓ１６０−６−２−１）、次に残りのラウンド有効回数が１減算され（Ｓ１６０−６−２−２）、さらに現在のラウンド時間が設定され（Ｓ１６０−６−２−３）、その後にこのラウンド回数設定処理（Ｓ１６０−６−２）が終了する。
【０１３４】
大入賞口動作設定処理（Ｓ１６０−６−３）では、動作させる大入賞口（上大入賞口７１又は下大入賞口８１）の設定、及び各大入賞口（上大入賞口７１、下大入賞口８１）の動作設定を行う。本実施例ではラウンド数によって開放する大入賞口が異なるため、図３０に示すように、まず開放する大入賞口（上大入賞口７１又は下大入賞口８１）の設定が行われる（Ｓ１６０−６−３−１）。次に、特別遊技の種類（ロング又はショート）に対応した上大入賞口動作カウンタ或いは下大入賞口動作カウンタの初期値がロードされる（Ｓ１６０−６−３−２）。さらに上大入賞口動作カウンタ或いは下大入賞口動作カウンタに対応した実行時間の設定が行われる（Ｓ１６０−６−３−３）。なお、前記上大入賞口動作カウンタは、１４ラウンドと１６ラウンドに関して、図４７の表２（ロングの場合）及び表３（ショートの場合）の内容に設定され、一方、下大入賞口動作カウンタは、ロングとショートの１〜１３ラウンド及び１５ラウンドにおいて、開放の実行時間２９．５秒、閉鎖の実行時間２秒に設定されている。
【０１３５】
次に上大入賞口７１の設定か否か確認され（Ｓ１６０−６−３−４）、上大入賞口の設定ではない場合、すなわち１〜１３ラウンド及び１５ラウンドにおける下大入賞口の設定の場合には、この大入賞口動作設定処理（Ｓ１６０−６−３）が終了する。一方、上大入賞口の設定の場合、すなわち１４ラウンド又は１６ラウンドにおける上大入賞口の設定の場合には、確変領域動作カウンタの初期値がロードされ（Ｓ１６０−６−３−５）、確変領域動作カウンタに対応した実行時間が設定され（Ｓ１６０−６−３−６）、その後にこの大入賞口動作設定処理（Ｓ１６０−６−３）が終了する。なお、確変領域動作カウンタの内容は図４７の表１に示す通りである。
【０１３６】
特別動作ステータスが４の場合に実行される大入賞口開放処理（Ｓ１６０−７）では、１ラウンド中に上大入賞口７１又は下大入賞口８１を開閉動作させるための設定が行われる。図３１に示すように、大入賞口開放処理（Ｓ１６０−７）では、まず大入賞口スイッチ検出処理（Ｓ１６０−７−１）が行われる。
大入賞口スイッチ検出処理（Ｓ１６０−７−１）では、図３２に示すように、前記上大入賞口７１又は下大入賞口８１に遊技球が入賞して検出されたか確認され（Ｓ１６０−７−１−１）、上大入賞口７１及び下大入賞口８１の何れにおいても入賞が検出されていない場合には、この大入賞口スイッチ検出処理（Ｓ１６０−７−１）が終了する。一方、上大入賞口７１又は下大入賞口８１への入賞が検出された場合には、大入賞口入賞個数が１加算され（Ｓ１６０−７−１−２）、その後にこの大入賞口スイッチ検出処理（Ｓ１６０−７−１）が終了する。
【０１３７】
前記大入賞口スイッチ検出処理（Ｓ１６０−７−１）の次に、大入賞口入賞個数が１０個以上（第２終了条件成立）か判断され（Ｓ１６０−７−２）、大入賞口入賞個数が１０個未満（第２終了条件不成立）の場合には、前記ラウンド回数設定処理（Ｓ１６０−６−２）で設定されたラウンド時間（ラウンド状態の時間）が経過（第１終了条件成立）したか判断される（Ｓ１６０−７−３）。ラウンド時間経過前（第１終了条件不成立）の場合には、前記上大入賞口７１に設定中か確認され（Ｓ１６０−７−４）、上大入賞口７１に設定されていない場合には、前記大入賞口開放処理（Ｓ１６０−７）が終了する。一方、上大入賞口７１に設定されている場合には、前記大入賞口動作設定処理（Ｓ１６０−６−３）で設定された上大入賞口の動作実行時間が経過したか判断され（Ｓ１６０−７−５）、実行時間が経過していない場合には前記大入賞口開放処理（Ｓ１６０−７）が終了する。一方、Ｓ１６０−７−５で上大入賞口の動作実行時間が経過している判断された場合には、前記大入賞口動作設定処理（Ｓ１６０−６−３）で設定された上大入賞口動作カウンタが１減算され（Ｓ１６０−７−６）、減算後の上大入賞口動作カウンタが０か否か確認され（Ｓ１６０−７−７）、減算後の上大入賞口動作カウンタが０ではない場合には上大入賞口動作設定処理（Ｓ１６０−７−８）が行われ、その後に前記大入賞口開放処理（Ｓ１６０−７）が終了する。
【０１３８】
前記上大入賞口動作設定処理（Ｓ１６０−７−８）では、図３３に示すように、前記減算後の上大入賞口動作カウンタがロードされ（Ｓ１６０−７−８−１）、上大入賞口動作カウンタに対応する動作実行時間（図４７の表２、表３）が設定され（Ｓ１６０−７−８−２）、その後にこの上大入賞口動作設定処理（Ｓ１６０−７−８）が終了する。
【０１３９】
一方、前記大入賞口開放処理（Ｓ１６０−７）のＳ１６０−７−２で大入賞口入賞個数が１０個以上（第２終了条件成立）と判断された場合、あるいは前記Ｓ１６０−７−３でラウンド時間経過（第１終了条件成立）と判断された場合、あるいはＳ１６０−７−７で上大入賞口動作カウンタが０と判断された場合には、大入賞口閉鎖時のデータ（大入賞口閉鎖１の時間）が設定され（Ｓ１６０−７−９）、特別動作ステータスが５にセットされ（Ｓ１６０−７−１０）、この大入賞口開放処理（Ｓ１６０−７）が終了する。大入賞口閉鎖１の時間及び後述する大入賞口閉鎖２の時間は、ラウンド中に上大入賞口７１内での球詰まり等による遊技球検知の遅延時間（球掃け時間）であり、遊技球の入賞を検知した場合に入賞を有効とする入賞有効期間となっている。
【０１４０】
特別動作ステータス５の場合に実行される大入賞口閉鎖１処理（Ｓ１６０−８）では、図３４に示すように、前記大入賞口開放処理（Ｓ１６０−７）で設定された大入賞口閉鎖１の時間が終了したか判断され（Ｓ１６０−８−１）、終了していない場合にはこの大入賞口閉鎖１処理（Ｓ１６０−８）が終了する。一方、大入賞口閉鎖１の時間が終了した場合には、大入賞口閉鎖２のデータ（大入賞口閉鎖２の時間）が設定され（Ｓ１６０−８−２）、特別動作ステータスが６にセットされ（Ｓ１６０−８−３）、この大入賞口閉鎖１処理（Ｓ１６０−８）が終了する。
【０１４１】
特別動作ステータス６の場合に実行される大入賞口閉鎖２処理（Ｓ１６０−９）では、図３５及び図３６に示すように、前記大入賞口閉鎖１処理（Ｓ１６０−７８で設定された大入賞口閉鎖２の時間が終了したか確認され（Ｓ１６０−９−１）、大入賞口閉鎖２の時間が終了していない場合には、この大入賞口閉鎖２処理（Ｓ１６０−９）が終了する。一方、大入賞口閉鎖２の時間が終了している場合には上大入賞口７１の開放ラウンド（１４又は１６ラウンド）であった確認される（Ｓ１６０−９−２）。上大入賞口７１の開放ラウンドであった場合、上大入賞口内球数カウンタが０か確認され（Ｓ１６０−９−３）、０ではない場合には確変領域動作カウンタが９か確認される（Ｓ１６０−９−４）。確変領域動作カウンタが９の場合には、上大入賞口内球数カウンタが０になっていない、すなわち上大入賞口７１の入賞数と確変領域７６及び上大入賞口用排出口７８の通過球数が一致していないため、エラー報知（異常報知）を行うための不一致エラーコマンドが出力バッファに格納され（Ｓ１６０−９−５）、確変領域動作カウンタが１加算され（Ｓ１６０−９−６）、その後にこの大入賞口閉鎖２処理（Ｓ１６０−９）が終了する。一方、前記Ｓ１６０−９−４で確変領域カウンタが９ではないと判断された場合には、この大入賞口閉鎖２処理（Ｓ１６０−９）が終了する。
【０１４２】
また、前記Ｓ１６０−９−２で上大入賞口７１の開放ラウンドであったと判断され、且つ次のＳ１６０−９−３で上大入賞口内球数カウンタが０、すなわち上大入賞口７１の入賞数と確変領域７６及び上大入賞口用排出口７８の通過球数が一致と判断された場合には、確変領域動作カウンタが１０か確認される（Ｓ１６０−９−７）。確変領域動作カウンタが１０ではない場合、確変領域動作終了設定が行われる（Ｓ１６０−９−９）。確変領域動作終了設定では、確変領域動作カウンタがクリアされる。一方、Ｓ１６０−９−７で確変領域動作カウンタが１０と判断された場合、前記Ｓ１６０−９−３で上大入賞口内球数カウンタが０、すなわち上大入賞口７１の入賞数と確変領域７６及び上大入賞口用排出口７８の通過球数が一致する正常な状態と判断されているため、不一致エラーコマンドが解除され（Ｓ１６０−９−８）、次に確変領域動作終了設定が行われる（Ｓ１６０−９−９）。なお、本実施例では、前記ロングの場合は確変領域動作カウンタが４の間に上大入賞口７１の最大ラウンド時間が経過するため、上大入賞口７１のラウンド時間内であれば遊技球が確変領域を通過し易く構成されている。また、前記ショートの場合は確変領域動作カウンタが２或いは３の間に最大ラウンド時間が経過するため、上大入賞口のラウンド時間内であっても遊技球が確変領域を通過し難く構成されている。
【０１４３】
前記確変領域動作終了設定処理（Ｓ１６０−９−９）の次にラウンド有効回数（残りのラウンド回数）が０か否か判断される（Ｓ１６０−９−１０）。ラウンド有効回数（残りのラウンド回数）が０ではない場合には、ラウンド回数設定処理（Ｓ１６０−９−１１）、大入賞口動作設定処理（Ｓ１６０−９−１２）が行われ、その後に動作ステータスが４にセットされ（Ｓ１６０−９−１３）、この大入賞口開閉２処理（Ｓ１６０−９）が終了する。なお、前記ラウンド回数設定処理（Ｓ１６０−９−１１）は、図２９に示したラウンド回数設定処理（Ｓ１６０−６−２）と同一の処理が行われ、また、前記大入賞口動作設定処理（Ｓ１６０−９−１２）は、図３０に示した大入賞口動作設定処理（Ｓ１６０−６−３）と同一の処理が行われるため、再度の説明を省略する。一方、Ｓ１６０−９−１０でラウンド有効回数（残りのラウンド回数）が０と判断されると、大当たりエンディングのデータ（大当たりエンディング時間等）の設定（Ｓ１６０−９−１４）、動作ステータスを７にセットする処理（Ｓ１６０−９−１５）及び大当たりエンディングコマンドを出力バッファに格納する処理（Ｓ１６０−９−１６）が順に行われ、この大入賞口開閉２処理（Ｓ１６０−９）が終了する。
【０１４４】
特別動作ステータス７の場合に実行される大当たり終了処理（Ｓ１６０−１０）では、図３７に示すように、前記大入賞口閉鎖２処理（Ｓ１６０−９）で設定された大当たりエンディング時間が終了したか確認され（Ｓ１６０−１０−１）、大当たりエンディング時間が終了していない場合には、この大当たり終了処理（Ｓ１６０−１０）が終了する。一方、大当たりエンディング時間が終了している場合には、確変領域通過フラグが成立しているか（ＯＮになっているか）確認される（Ｓ１６０−１０−２）。確変領域通過フラグが成立している（ＯＮになっている）場合、すなわち特典遊技付与が決定されている場合には、特別遊技（大当たり遊技）終了後の遊技状態を遊技者に有利となる確変遊技（高確率遊技、特典遊技）状態成立時のデータ設定が行われ（Ｓ１６０−１０−３）、その後にフラグ・カウンタ等のクリア（Ｓ１６０−１０−４）、大当たり終了時のコマンドを出力バッファに格納する処理（Ｓ１６０−１０−５）、特別動作ステータスを０にセットする処理（Ｓ１６０−１０−６）が順に行われ、その後にこの大当たり終了処理（Ｓ１６０−１０）が終了する。
【０１４５】
また、前記Ｓ１６０−１０−２で確変領域通過フラグが成立していない（ＯＦＦになっている）と判断された場合、すなわち特典遊技を付与しない場合には、確変遊技（高確率遊技、特典遊技）状態とするデータ設定を行うことなく、フラグ・カウンタ等をクリアする処理（Ｓ１６０−１０−４）、大当たり終了時のコマンドを出力バッファに格納する処理（Ｓ１６０−１０−５）、特別動作ステータスを０にセットする処理（Ｓ１６０−１０−６）が順に行われ、その後にこの大当たり終了処理（Ｓ１６０−１０）が終了する。
【０１４６】
前記特別動作処理（Ｓ１６０）の次に行われる保留球数処理（Ｓ１７０）では図３８に示すように保留球数がロードされ（Ｓ１７０−１）、保留球数が出力バッファにセットされる（Ｓ１７０−２）。
【０１４７】
次に行われる電源断監視処理（Ｓ１８０）では、図３９に示すように、電源断信号が入力したか判断され（Ｓ１８０−１）、入力していなければこの電源断監視処理（Ｓ１８０）が終了する。一方、電源断信号が入力している場合には、現在のデータ（状態）が前記主制御基板２００のＲＡＭに記憶され（Ｓ１８０−２）、次いで電源断フラグがＯＮにされ（Ｓ１８０−３）、その後ループ処理が行われる。
【０１４８】
その他の処理（Ｓ１９０）では、遊技に必要なその他の様々な処理が行われるが、本発明で特に関わりのない処理についての説明は省略する。
【０１４９】
前記サブ制御基板２０５が行う処理について説明する。前記サブ制御基板２０５が行うサブ制御メイン処理Ｊでは、図４０に示すように、遊技機１の電源投入時にサブ制御基板２０５においてＣＰＵ初期化処理が行われる（Ｓ２０１）。前記ＣＰＵ初期化処理（Ｓ２０１）では、スタックの設定、ＣＰＵの設定、ＳＩＯ、ＣＴＣの設定等が行われる。次に、電気信号がＯＮでＲＡＭの内容が正常か判断される（Ｓ２０２）。電源断信号がＯＮでなかったり、電源断信号がＯＮでＲＡＭの内容が正常でない場合など電源断信号の状態とＲＡＭの内容正常の両方を満たさない場合は、ＲＡＭの初期化が行われ（Ｓ２０３）、その後に割り込み禁止（Ｓ２０４）が行われ、割り込み処理が入ってきても、割り込み許可となるまで、割り込みを禁止する。一方、電源断信号ＯＮとＲＡＭの内容正常の両方を満たす場合には、ＲＡＭの初期化を行うことなく割り込み禁止（Ｓ２０４）が行われる。
【０１５０】
割り込み禁止（Ｓ２０４）の後、乱数シード更新処理（Ｓ２０５）、コマンド送信処理（Ｓ２０６）、割り込み許可（Ｓ２０７）がループ処理で実行される。なお、電源投入時にのみ必要な処理は１巡目のみに実行され、２巡目以降は実行されないが周知であるので詳細は省略する。
前記乱数シード更新処理（Ｓ２０５）では、サブ制御基板２０５に設けられているカウンタの乱数を１加算して更新する処理が行われる。
前記コマンド送信処理（Ｓ２０６）では、各処理で格納されたコマンドの送信処理が行われ。
前記割り込み許可（Ｓ２０７）では、割り込みの許可が行われる。前記ループ処理において、前記主制御基板２００からのコマンド（制御信号）受信時に受信割り込み処理（外部ＩＮＴ割り込み処理）（Ｓ３００）、また２ｍｓ毎の２ｍｓタイマ割り込み処理（Ｓ４００）、１０ｍｓ毎の１０ｍｓタイマ割り込み処理（Ｓ５００）が行われる。
【０１５１】
受信割り込み処理（Ｓ３００）では、図４１に示すように、前記主制御基板２００からのストローブ（ＳＴＢ）信号がＯＮか確認され（Ｓ３０１）、ストローブ信号がＯＮ、すなわち外部ＩＮＴ入力部にストローブ信号が入力されると、前記主制御基板２００から出力されたコマンド（制御信号）の受信およびＲＡＭへの格納が行われる（Ｓ３０２）。それに対し、ストローブ信号がＯＮになっていなければ、その時点でこの外部ＩＮＴ割り込み処理（Ｓ３００）が終了する。
【０１５２】
２ｍｓタイマ割り込み処理（Ｓ４００）では、図４２に示すように、ランプデータ出力処理（Ｓ４０１）、ＳＷ／駆動出力処理（Ｓ４０２）、入力処理（Ｓ４０３）が行われる。
ランプデータ出力処理（Ｓ４０１）では、後述の１０ｍｓタイマ割り込み処理（Ｓ５００）で作成されたランプのデータが出力される。
ＳＷ／駆動出力処理（Ｓ４０２）では、後述の１０ｍＳタイマ割り込み処理（Ｓ５００）で作成されたスイッチの有効期間及び動作の出力が行われる。
入力処理（Ｓ４０３）では、スイッチのエッジデータ及びレベルデータの作成が行われる。
【０１５３】
１０ｍｓタイマ割り込み処理（Ｓ５００）では、図４３に示すように、受信コマンド解析処理（Ｓ５００−１）、ランプデータ設定等のその他の処理（Ｓ５００−２）が行われる。
【０１５４】
受信コマンド解析処理（Ｓ５００−１）では、図４４に示すように、受信コマンドがエラーコマンドか判断され（Ｓ５００−１−１）、エラーコマンドではない場合にはその他の受信したコマンドに対応した処理が行われ（Ｓ５００−１−２）、一方、受信コマンドがエラーコマンドの場合には受信したエラーコマンドに応じたエラー報知を行うためのエラー報知処理（Ｓ５００−１−３）が行われ、その後にこの受信コマンド解析処理（Ｓ５００−１）が終了する。
【０１５５】
前記エラー報知処理（Ｓ５００−１−３）では、図４５及び図４６に示すように、受信したエラーコマンドが下大入賞口エラーコマンド、上大入賞口エラーコマンド、確変領域エラーコマンド、上大入賞口検出無し時エラーコマンド、下大入賞口検出時エラーコマンド、不一致エラーコマンドのいずれのエラーコマンドであるか判断される（Ｓ５０１−３−１〜Ｓ５０１−３−５）。受信したエラーコマンドが下大入賞口エラーコマンドの場合には下大入賞口エラー報知（Ｓ５００−１−３−６）、上大入賞口エラーコマンドの場合には上大入賞口エラー報知（Ｓ５００−１−３−７）、確変領域エラーコマンドの場合には確変領域エラー報知（Ｓ５００−１−３−８）、上大入賞口検出無し時エラーコマンドの場合には上大入賞口検出無し時エラー報知（Ｓ５００−１−３−９）、下大入賞口検出時エラーコマンドの場合には下大入賞口検出時エラー報知（Ｓ５００−１−３−１０）、不一致エラー報知コマンドの場合には不一致エラー報知（Ｓ５００−１−３−１１）がランプや音声、表示装置等で行うように設定される。
【０１５６】
このように、本実施例では、特典付与領域における遊技球の通過に関して遊技球確認手段によって第一閉鎖時間内の無効期間での遊技球の通過が確認された場合に異常制御手段によって遊技球の通過が異常であることの報知を行う一方、遊技球確認手段によって第二閉鎖時間内の無効期間での遊技球の通過が確認された場合は異常制御手段によって遊技球の通過が異常であることの報知を行わないように区別しているため、異常報知の頻度を抑制することが可能となる。
【０１５７】
なお、本発明は前記実施例に限定されるものではなく、本発明の趣旨を逸脱しない範囲で変更されるものである。例えば、前記実施例では特別遊技（大当たり遊技）における動作としてロングとショートの２種類を設けたが、１種類あるいは３種類以上としてもよい。また、大入賞口として上大入賞口と下大入賞口の２種類設けたが、他の位置関係にある複数の大入賞口を設けたり、大入賞口を１つにしたりしてもよい。また、特典付与領域の開閉回数を実施例とは異なる回数に設定してもよい。また、特典付与領域を下大入賞口に設けてもよい。また、前記実施例のような特典付与領域に対しての異常報知の区別だけではなく、大入賞口（可変入賞装置）に対して異常が生じていることの報知を行う期間と行わない期間を設けて区別することにより、異常報知の頻度を抑制することも可能とする。
【符号の説明】
【０１５８】
１  遊技機
２  遊技盤
１０  表示装置
６４  発射装置
７１  上大入賞口（可変入賞装置）
７６  確変領域（特典付与領域）
７８  上大入賞口用排出口
８１  下大入賞口（可変入賞装置）
【図１】
0005942096.tif 000002
【図２】
0005942096.tif 000003
【図３】
0005942096.tif 000004
【図４】
0005942096.tif 000005
【図５】
0005942096.tif 000006
【図６】
0005942096.tif 000007
【図７】
0005942096.tif 000008
【図８】
0005942096.tif 000009
【図９】
0005942096.tif 000010
【図１０】
0005942096.tif 000011
【図１１】
0005942096.tif 000012
【図１２】
0005942096.tif 000013
【図１３】
0005942096.tif 000014
【図１４】
0005942096.tif 000015
【図１５】
0005942096.tif 000016
【図１６】
0005942096.tif 000017
【図１７】
0005942096.tif 000018
【図１８】
0005942096.tif 000019
【図１９】
0005942096.tif 000020
【図２０】
0005942096.tif 000021
【図２１】
0005942096.tif 000022
【図２２】
0005942096.tif 000023
【図２３】
0005942096.tif 000024
【図２４】
0005942096.tif 000025
【図２５】
0005942096.tif 000026
【図２６】
0005942096.tif 000027
【図２７】
0005942096.tif 000028
【図２８】
0005942096.tif 000029
【図２９】
0005942096.tif 000030
【図３０】
0005942096.tif 000031
【図３１】
0005942096.tif 000032
【図３２】
0005942096.tif 000033
【図３３】
0005942096.tif 000034
【図３４】
0005942096.tif 000035
【図３５】
0005942096.tif 000036
【図３６】
0005942096.tif 000037
【図３７】
0005942096.tif 000038
【図３８】
0005942096.tif 000039
【図３９】
0005942096.tif 000040
【図４０】
0005942096.tif 000041
【図４１】
0005942096.tif 000042
【図４２】
0005942096.tif 000043
【図４３】
0005942096.tif 000044
【図４４】
0005942096.tif 000045
【図４５】
0005942096.tif 000046
【図４６】
0005942096.tif 000047
【図４７】
0005942096.tif 000048
【図４８】
0005942096.tif 000049
【図４９】
0005942096.tif 000050